(57)【要約】  本開示の一態様に係るユーザ端末は、チャネル状態情報参照信号（ＣＳＩ−ＲＳ：Channel  State  Information-Reference  Signal）を受信する受信部と、同期環境を想定できるか否かに基づいて、前記ＣＳＩ−ＲＳの測定タイミングにおけるデータ送受信の制御を判断する制御部と、を有することを特徴とする。本開示の一態様によれば、ＳＳＢ測定以外の測定を行う場合であっても、当該測定と同時のデータ送受信を適切に制御できる。
2019215899.tif 000002
【特許請求の範囲】
【請求項１】
チャネル状態情報参照信号（ＣＳＩ−ＲＳ：Channel  State  Information-Reference  Signal）を受信する受信部と、
同期環境を想定できるか否かに基づいて、前記ＣＳＩ−ＲＳの測定タイミングにおけるデータ送受信の制御を判断する制御部と、を有することを特徴とするユーザ端末。
【請求項２】
前記制御部は、同期環境を想定できる場合、前記ＣＳＩ−ＲＳのシンボル及び当該シンボルの前後１シンボルにおいて、前記ＣＳＩ−ＲＳとサブキャリア間隔が異なるデータを送受信することを想定しないことを特徴とする請求項１に記載のユーザ端末。
【請求項３】
前記制御部は、同期環境を想定できない場合、サービングセルにおけるデータと異なるサブキャリア間隔の前記ＣＳＩ−ＲＳをメジャメントギャップ内で測定し、当該メジャメントギャップ内において、当該サービングセルにおけるデータの送受信は想定しないことを特徴とする請求項１又は請求項２に記載のユーザ端末。
【請求項４】
前記制御部は、同期環境を想定できない場合、設定された所定の期間内で前記ＣＳＩ−ＲＳを測定し、当該所定の期間内において、前記ＣＳＩ−ＲＳとサブキャリア間隔が異なるデータを送受信することを想定しないことを特徴とする請求項１又は請求項２に記載のユーザ端末。
【請求項５】
前記制御部は、設定された前記ＣＳＩ−ＲＳのうち、関連する同期信号ブロックが設定されるＣＳＩ−ＲＳがある場合、前記所定の期間を設定されることを特徴とする請求項４に記載のユーザ端末。
【請求項６】
前記制御部は、前記ＣＳＩ−ＲＳの測定タイミングにおけるデータ送受信の制御を、同期信号ブロックの測定タイミングにおけるデータ送受信の制御とは異ならせることを特徴とする請求項１から請求項５のいずれかに記載のユーザ端末。
【発明の詳細な説明】
【技術分野】
【０００１】
本開示は、次世代移動通信システムにおけるユーザ端末に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥ（ＬＴＥ  Ｒｅｌ．８、９）の更なる大容量、高度化などを目的として、ＬＴＥ−Ａ（ＬＴＥアドバンスト、ＬＴＥ  Ｒｅｌ．１０、１１、１２、１３）が仕様化された。【０００３】
ＬＴＥの後継システム（例えば、ＦＲＡ（Future  Radio  Access）、５Ｇ（5th  generation  mobile  communication  system）、５Ｇ＋（plus）、ＮＲ（New  Radio）、ＮＸ（New  radio  access）、ＦＸ（Future  generation  radio  access）、ＬＴＥ  Ｒｅｌ．１４又は１５以降などともいう）も検討されている。【０００４】
既存のＬＴＥシステム（例えば、ＬＴＥ  Ｒｅｌ．８−１３）において、ユーザ端末（ＵＥ：User  Equipment）は、同期信号（ＳＳ：Synchronization  Signal）を検出し、ネットワーク（例えば、基地局（ｅＮＢ：eNode  B））との同期をとるとともに、接続するセルを識別する（例えば、セルＩＤ（Identifier）によって識別する）。このような処理はセルサーチとも呼ばれる。同期信号は、例えば、ＰＳＳ（Primary  Synchronization  Signal）及び／又はＳＳＳ（Secondary  Synchronization  Signal）を含む。【０００５】
また、ＵＥは、ブロードキャスト情報（例えば、マスタ情報ブロック（ＭＩＢ：Master  Information  Block）、システム情報ブロック（ＳＩＢ：System  Information  Block）など）を受信して、ネットワークとの通信のための設定情報（システム情報などと呼ばれてもよい）を取得する。【０００６】
ＭＩＢは、ブロードキャストチャネル（ＰＢＣＨ：Physical  Broadcast  Channel）で送信されてもよい。ＳＩＢは、下りリンク（ＤＬ）共有チャネル（ＰＤＳＣＨ：Physical  Downlink  Shared  Channel）で送信されてもよい。
【先行技術文献】
【非特許文献】
【０００７】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００８】
将来の無線通信システム（以下、単にＮＲとも表記する）では、同期信号ブロック（ＳＳＢ：Synchronization  Signal  Block）を用いた測定が利用される。ＳＳＢを用いた測定に関するタイミング設定（ＳＭＴＣ：SSB-based  Measurement  Timing  Configuration）が、ＵＥに通知される。ＵＥは、設定されたＳＭＴＣウィンドウ内において、測定対象のＳＳＢに基づく測定（ＳＳＢ測定と呼ばれてもよい）を実施する。【０００９】
ＮＲでは、ＳＳＢ測定と同じタイミングにおけるデータの送受信動作が検討されている。例えば、特定の周波数バンドにおいて、あるニューメロロジーのＳＳＢ測定を実施する期間には、同じＳＣＳのデータのスケジューリング制限はないと想定されてもよいことが検討されている。【００１０】
しかしながら、ＳＳＢ測定以外の測定（チャネル状態情報参照信号（ＣＳＩ−ＲＳ：Channel  State  Information-Reference  Signal）に基づく測定など）を行っている場合のデータ送受信動作については、検討されていない。ＳＳＢ測定以外の測定を行っている場合のデータ送受信動作を適切に規定しなければ、通信スループットが低下するという課題がある。【００１１】
そこで、本開示は、ＳＳＢ測定以外の測定を行う場合であっても、当該測定と同時のデータ送受信を適切に制御できるユーザ端末を提供することを目的の１つとする。
【課題を解決するための手段】
【００１２】
本開示の一態様に係るユーザ端末は、チャネル状態情報参照信号（ＣＳＩ−ＲＳ：Channel  State  Information-Reference  Signal）を受信する受信部と、同期環境を想定できるか否かに基づいて、前記ＣＳＩ−ＲＳの測定タイミングにおけるデータ送受信の制御を判断する制御部と、を有することを特徴とする。
【発明の効果】
【００１３】
本開示の一態様によれば、ＳＳＢ測定以外の測定を行う場合であっても、当該測定と同時のデータ送受信を適切に制御できる。
【図面の簡単な説明】
【００１４】
【図１】図１は、同期環境を想定できる場合のスケジューリング制限の一例を示す図である。
【図２】図２は、同期環境を想定できる場合のスケジューリング制限の別の一例を示す図である。
【図３】図３は、同期環境を想定できない場合のスケジューリング制限の一例を示す図である。
【図４】図４は、同期環境を想定できない場合のスケジューリング制限の別の一例を示す図である。
【図５】図５は、一実施形態に係る無線通信システムの概略構成の一例を示す図である。
【図６】図６は、一実施形態に係る無線基地局の全体構成の一例を示す図である。
【図７】図７は、一実施形態に係る無線基地局の機能構成の一例を示す図である。
【図８】図８は、一実施形態に係るユーザ端末の全体構成の一例を示す図である。
【図９】図９は、一実施形態に係るユーザ端末の機能構成の一例を示す図である。
【図１０】図１０は、一実施形態に係る無線基地局及びユーザ端末のハードウェア構成の一例を示す図である。
【発明を実施するための形態】
【００１５】
（ＳＳＢ測定）
既存のＬＴＥシステムにおいて、ＵＥは、接続中のサービングキャリアとは異なる非サービングキャリアにおいて測定を行う異周波測定（inter-frequency  measurement）をサポートする。
【００１６】
ＵＥは、メジャメントギャップ（ＭＧ：Measurement  Gap）において、使用周波数（ＲＦ：Radio  Frequency）をサービングキャリアから非サービングキャリアに切り替え（リチューニングし）、参照信号などを用いて測定した後、使用周波数を非サービングキャリアからサービングキャリアに切り替える。
【００１７】
ここで、ＭＧとは、異周波測定を行うための期間であり、ＵＥは、当該期間において、通信中のキャリアでの送受信を停止して別の周波数のキャリアでの測定を行う。
【００１８】
ＬＴＥにおいて、ＭＧを使って異周波キャリアを測定している間は、ＲＦを切り替えているためサービングセルでの送受信ができない。一方で、それ以外のケース（例えば、同周波測定）ではメジャメントに関連して送受信の制約は生じない。
【００１９】
ＮＲにおいては、以下のメジャメントが検討されている：
（１）ＭＧ不要の周波数内メジャメント（Intra-frequency  measurement  without  MG）、
（２）ＭＧ要の周波数内メジャメント（Intra-frequency  measurement  with  MG）、
（３）周波数間メジャメント（Inter-frequency  measurement）。
【００２０】
上記（１）のＭＧ不要の周波数内メジャメントは、ＲＦリチューニングを必要としない同周波測定とも呼ばれる。上記（２）のＭＧ要の周波数内メジャメントは、ＲＦリチューニングを必要とする同周波測定とも呼ばれる。例えば、アクティブＢＷＰ（BandWidth  Part）の帯域内に測定対象信号が含まれない場合、同周波測定でもＲＦリチューニングが必要なので、上記（２）の測定となる。
【００２１】
ここで、ＢＷＰは、ＮＲにおいて設定されるコンポーネントキャリア（ＣＣ：Component  Carrier）内の、１つ以上の部分的な周波数帯域に該当する。ＢＷＰは、部分周波数帯域、部分帯域などと呼ばれてもよい。
【００２２】
上記（３）の周波数間メジャメントは、異周波測定とも呼ばれる。当該異周波測定は、ＭＧを使うことを想定する。しかしながら、ＵＥがギャップなし測定（gap  less  measurement）のＵＥ能力（UE  capability）を基地局（例えば、ＢＳ（Base  Station）、送受信ポイント（ＴＲＰ：Transmission/Reception  Point）、ｅＮＢ（eNodeB）、ｇＮＢ（NR  NodeB）などと呼ばれてもよい）に報告する場合には、ＭＧなしの異周波測定が可能である。
【００２３】
ＵＥは、あるキャリアにおいて、サービングセルの周波数内メジャメントを行ってもよいし、隣接セル（周辺セル（neighbour  cell）と呼ばれてもよい）の周波数内メジャメント及び周波数間メジャメントの少なくとも一方を行ってもよい。ＮＲにおいて、ＭＧを使って同周波キャリア又は異周波キャリアを測定している間は、ＲＦを切り替えているためサービングセルでの送受信ができない。
【００２４】
ＬＴＥ、ＮＲなどにおいて、同周波測定及び／又は異周波測定に関して、非サービングキャリアの参照信号受信電力（ＲＳＲＰ：Reference  Signal  Received  Power）、受信信号強度（ＲＳＳＩ：Received  Signal  Strength  Indicator）及び参照信号受信品質（ＲＳＲＱ：Reference  Signal  Received  Quality）、ＳＩＮＲ（Signal  to  Interference  plus  Noise  Ratio）、の少なくとも１つが測定されてもよい。
【００２５】
ここで、ＲＳＲＰは、所望信号の受信電力であり、例えば、セル固有参照信号（ＣＲＳ：Cell-specific  Reference  Signal）、チャネル状態情報参照信号（ＣＳＩ−ＲＳ：Channel  State  Information-Reference  Signal）などの少なくとも１つを用いて測定される。ＲＳＳＩは、所望信号の受信電力と、干渉及び雑音電力とを含む合計の受信電力である。ＲＳＲＱは、ＲＳＳＩに対するＲＳＲＰの比である。
【００２６】
当該所望信号は、同期信号ブロック（ＳＳＢ：Synchronization  Signal  Block）に含まれる信号であってもよい。ＳＳＢは、同期信号（ＳＳ：Synchronization  Signal）及びブロードキャストチャネル（ブロードキャスト信号、ＰＢＣＨ、ＮＲ−ＰＢＣＨなどともいう）を含む信号ブロックであり、ＳＳ／ＰＢＣＨブロックなどと呼ばれてもよい。
【００２７】
ＳＳＢに含まれるＳＳは、プライマリ同期信号（ＰＳＳ：Primary  Synchronization  Signal）、セカンダリ同期信号（ＳＳＳ：Secondary  Synchronization  Signal）などを含んでもよい。ＳＳＢは、１以上のシンボル（例えば、ＯＦＤＭシンボル）によって構成される。ＳＳＢ内では、ＰＳＳ、ＳＳＳ及びＰＢＣＨがそれぞれ異なる１以上のシンボルに配置されてもよい。例えば、ＳＳＢは、１シンボルのＰＳＳ、１シンボルのＳＳＳ、及び２又は３シンボルのＰＢＣＨを含む、計４又は５シンボルによって構成されてもよい。
【００２８】
なお、ＳＳ（又はＳＳＢ）を用いて行われる測定はＳＳ（又はＳＳＢ）測定と呼ばれてもよい。ＳＳ（又はＳＳＢ）測定としては、例えばＳＳ−ＲＳＲＰ、ＳＳ−ＲＳＲＱ、ＳＳ−ＳＩＮＲ測定などが行われてもよい。ＳＳ（又はＳＳＢ）測定には、ＰＳＳ、ＳＳＳ及びＰＢＣＨに対応する復調用参照信号（ＤＭＲＳ：DeModulation  Reference  Signal）などが用いられてもよい。
【００２９】
ＵＥは、第１の周波数帯（ＦＲ１：Frequency  Range  1）及び第２の周波数帯（ＦＲ２：Frequency  Range  2）の少なくとも１つの周波数帯（キャリア周波数）を用いて通信（信号の送受信、測定など）を行ってもよい。
【００３０】
例えば、ＦＲ１は、６ＧＨｚ以下の周波数帯（サブ６ＧＨｚ（sub-6GHz））であってもよいし、ＦＲ２は、２４ＧＨｚよりも高い周波数帯（above-24GHz）であってもよい。ＦＲ１は、サブキャリア間隔（ＳＣＳ：Sub-Carrier  Spacing）として１５、３０及び６０ｋＨｚのうちから少なくとも１つが用いられる周波数レンジと定義されてもよいし、ＦＲ２は、ＳＣＳとして６０及び１２０ｋＨｚのうちから少なくとも１つが用いられる周波数レンジと定義されてもよい。なお、ＦＲ１及びＦＲ２の周波数帯、定義などはこれらに限られず、例えばＦＲ１がＦＲ２よりも高い周波数帯であってもよい。
【００３１】
ＦＲ２は、時分割複信（ＴＤＤ：Time  Division  Duplex）バンドのみに用いられてもよい。ＦＲ２は、複数の基地局間において同期運用されることが好ましい。ＦＲ２に複数のキャリアが含まれる場合、これらのキャリアは同期運用されることが好ましい。
【００３２】
ＵＥは、同周波測定及び／又は異周波測定に関する情報（例えば、「MeasObjectNR」情報要素）を、例えば上位レイヤシグナリング、物理レイヤシグナリング又はこれらの組み合わせを用いて基地局から通知（設定）されてもよい。
【００３３】
ここで、上位レイヤシグナリングは、例えば、ＲＲＣ（Radio  Resource  Control）シグナリング、ＭＡＣ（Medium  Access  Control）シグナリング、ブロードキャスト情報などのいずれか、又はこれらの組み合わせであってもよい。
【００３４】
ＭＡＣシグナリングは、例えば、ＭＡＣ制御要素（ＭＡＣ  ＣＥ（Control  Element））、ＭＡＣ  ＰＤＵ（Protocol  Data  Unit）などを用いてもよい。ブロードキャスト情報は、例えば、マスタ情報ブロック（ＭＩＢ：Master  Information  Block）、システム情報ブロック（ＳＩＢ：System  Information  Block）、最低限のシステム情報（ＲＭＳＩ：Remaining  Minimum  System  Information）などであってもよい。
【００３５】
同周波測定及び／又は異周波測定に関する情報は、ＳＳＢ及び／又はＣＳＩ−ＲＳを用いた同周波測定、異周波測定などに適用できる情報を含んでもよい。同周波測定及び／又は異周波測定に関する情報は、例えば、測定対象の周波数帯（キャリア）、測定対象のキャリアの同期の有無、測定対象の信号（ＤＭＲＳ、ＣＳＩ−ＲＳなど）のリソース位置（スロット番号、シンボル番号、ＲＢインデックスなど）、ＳＳＢメジャメントのタイミング設定（ＳＭＴＣ：SSB-based  Measurement  Timing  Configuration）、測定対象のＳＳＢのインデックスなどを含んでもよい。ＳＳＢインデックスは、ＳＳＢのリソース位置に関連付けられてもよい。
【００３６】
なお、測定対象のキャリアの同期の有無は、例えば、測定対象キャリアがサービングセルと同期しているか（周辺セル（neighbour  cell）によって送信されるＳＳＢのインデックスをサービングセルのタイミングに基づいて導出できるか）に関する情報（パラメータ「useServingCellTimingForSync」と呼ばれてもよい）を用いてＲＲＣシグナリングによってＵＥに設定されてもよい。当該情報は、ＳＳＢインデックス導出に関する情報、キャリア（又はセル）同期に関する情報などと呼ばれてもよい。
【００３７】
同周波測定及び／又は異周波測定に関する情報（例えば、「MeasObjectNR」情報要素）にuseServingCellTimingForSyncが含まれる場合、useServingCellTimingForSyncが有効（enabled）と想定されてもよい。useServingCellTimingForSyncが含まれない場合useServingCellTimingForSyncが無効（disabled）と想定されてもよい。
【００３８】
なお、複数のキャリア（又は複数のセル）が同期する場合、ＵＥは、これらのキャリア又はセル間の無線フレーム境界（又はフレームタイミング）が合っていると想定してもよいし、システムフレーム番号（ＳＦＮ：System  Frame  Number）が合っていると想定してもよいし、これらの両方を想定してもよい。
【００３９】
ＳＭＴＣ期間内における測定対象のＳＳＢの位置は、ビットマップ（パラメータ「ssb-ToMeasure」と呼ばれてもよい）によって通知されてもよい。当該ビットマップは、測定対象の周波数帯に関連付けられてもよい。例えば、測定対象の周波数帯が高い周波数帯であるほどより長いビットマップを用いて当該ＳＳＢインデックスが通知されてもよい。
【００４０】
ＳＭＴＣは、ＳＳＢ測定期間（ＳＭＴＣウィンドウ、測定タイミングなどと呼ばれてもよい）の長さ、周期、タイミングオフセットなどを含んでもよい。ＵＥは、設定されたＳＭＴＣウィンドウ内において、測定対象のＳＳＢに基づく測定を実施する。
【００４１】
異周波測定用ＭＧを設定するためのＵＥ能力（UE  capability）シグナリングがサポートされてもよい。当該ＵＥ能力シグナリングとしては、例えばＦＲ１及びＦＲ２のそれぞれの異周波測定用ＭＧを別々に設定できる。
【００４２】
例えば、ＵＥは、ＦＲ１個別、ＦＲ２個別及びＵＥ個別の少なくとも１つに該当するギャップのためのＭＧ長（length又はduration）、ＭＧ繰り返し周期などを含む能力シグナリングを通知してもよい。
【００４３】
（ＳＳＢ測定とデータ送受信）
ＮＲでは、柔軟な制御を可能にするため、ＳＳＢが設定されるシンボルにおいて、データを送受信することも検討されている。ＳＳＢのニューメロロジーと、サービングセルのデータ及び／又は制御チャネルのニューメロロジーと、が異なる場合に、ニューメロロジーの異なるこれらの信号をＵＥが同時に処理（同時送信、同時受信、同時送受信などの少なくとも１つを含む）できるか否かは、ＵＥ能力に依存してもよい。例えば、これらの同時処理能力を持たないＵＥは、ＳＳＢ測定中はデータ送受信ができないと想定してもよい。
【００４４】
なお、ニューメロロジーは、例えばＳＣＳに該当する。本開示において、ニューメロロジー及びＳＣＳは互いに読み替えられてもよい。また、本開示において、「データ」という文言は、データ、制御チャネル及び参照信号の少なくとも１つで読み替えられてもよい。例えば、「データ」は、ＰＵＣＣＨ／ＰＵＳＣＨで読み替えられてもよいし、ＰＤＣＣＨ／ＰＤＳＣＨで読み替えられてもよい。データ送受信は、サービングセルにおけるＰＵＣＣＨ／ＰＵＳＣＨ送信及びＰＤＣＣＨ／ＰＤＳＣＨ受信の少なくとも一方を意味してもよい。
【００４５】
なお、ＵＥは、異なるニューメロロジーのデータ及びＳＳＢの同時送受信をサポートしてもよく、当該能力を有することはＵＥ能力情報（simultaneousRxDataSSB-DiffNumerologyによって基地局に報告されてもよい。当該能力を有するＵＥは、ＳＳＢの受信及びデータの受信及び送信の少なくとも一方を同時に行ってもよい。なお、上記能力はキャリア内同時測定に関する能力（intraCarrierConcurrentMeas）で読み替えられてもよい。なお、simultaneousRxDataSSB-DiffNumerologyなどの名称は、これに限られない。
【００４６】
ＦＲ１においては、同期環境及び非同期環境に関わらず、あるＳＣＳのＳＳＢを測定する場合には、同じＳＣＳのデータのスケジューリング制限はないと想定されてもよい。つまり、ＳＳＢとデータのＳＣＳが同じ場合、ＵＥは当該ＳＳＢ測定中に当該データを送受信してもよい。
【００４７】
ＦＲ１においては、あるＳＣＳのＳＳＢを測定する場合に、異なるＳＣＳのデータが制限されてもよい。ＦＲ１は、周波数分割複信（ＦＤＤ：Frequency  Division  Duplex）及びＴＤＤの両方のバンドの可能性があるため、同期非同期の両方の場合を考慮する。例えば、異なるＳＣＳのＳＳＢ及びデータの同時処理ができないＵＥは、ＦＲ１のＳＳＢ測定を行うケースについては、以下のスケジューリング制限の少なくとも１つに従ってもよい：
（１）ＮＷ（又は測定対象キャリア）が同期している（例えば、useServingCellTimingForSyncが有効である）場合には、ＵＥは、ＳＭＴＣウィンドウ内の測定するＳＳＢシンボル及び各連続するＳＳＢシンボルの前後１シンボルにおいて、ＳＳＢのＳＣＳと異なるＳＣＳのデータを送受信することを想定しない（is  not  expected）（又はデータ送受信できない）、
（２）ＮＷ（又は測定対象キャリア）が同期していない（例えば、useServingCellTimingForSyncが無効である）場合には、ＵＥは、ＳＭＴＣウィンドウ内の全シンボルにおいて、ＳＳＢのＳＣＳと異なるＳＣＳのデータを送受信することを想定しない（又はデータ送受信できない）。
【００４８】
なお、「送受信することを想定しない」とは、「送受信を不可とする」、「送受信を行わない」、「送受信を制限する」、「送受信できないと想定する」、などと読み替えられてもよい。また、ＮＷ又は測定対象キャリアが同期している（しない）ことと、ＵＥが同期環境を想定できる（できない）ことは、互いに読み替えられてもよい。また、シンボルは、データ送受信に用いられ得る場合にはデータシンボルと呼ばれてもよい。
【００４９】
上記（１）は、周辺セルのＳＳＢは伝播遅延差分ずれてＵＥに到来することを考慮して、同期環境ではＳＳＢのシンボル及びその前後１シンボルをＳＳＢ測定によって影響を受ける可能性のある時間リソースと仮定することに起因する。また、上記（２）は、非同期環境ではＳＭＴＣウィンドウ内のどのシンボルでＳＳＢを受信するかが予測できないため、当該ウィンドウ内の全シンボルをＳＳＢ測定によって影響を受ける可能性のある時間リソースと仮定することに起因する。
【００５０】
なお、ＦＲ１においてバンド内ＣＡ（intra-band  CA）が行われる場合は、同期／非同期環境、ＳＣＳなどに関わらず、スケジューリング制限は当該バンドの全サービングセルに適用されてもよい。例えば、２つのＣＣがＦＲ１でバンド内ＣＡされる場合、一方のＣＣでＳＳＢ測定する場合には他方のＣＣのデータ送受信がスケジューリング制限の影響を受けると想定されてもよい。ＦＲ１においてバンド間ＣＡ（inter-band  CA）が行われる場合は、同期／非同期環境、ＳＣＳなどに関わらず、スケジューリング制限はないと想定されてもよい。
【００５１】
なお、ＣＡは、他の言葉で読み替えられてもよく、例えばデュアルコネクティビティ（ＤＣ：Dual  Connectivity）などで読み替えられてもよい。
【００５２】
ＦＲ２は、ＴＤＤバンドであるため、同期環境のケースを考慮すれば足りる。ＦＲ２では、ＵＥはＳＳＢ測定を行う際にアナログＢＦ（Beam  Forming）を用いた受信ＢＦを行うことが想定される。この場合、ＵＥが周辺セルのＳＳＢ測定のためにビームを周辺セル方向へ向けると、同時にサービングセルからのデータ受信ができないケースが想定される。このため、ＵＥは、ＵＥ能力及びＳＣＳに関わらず、ＦＲ２におけるＳＳＢ測定中はデータ送受信ができないと想定してもよい。
【００５３】
例えば、ＦＲ２のＳＳＢ測定を行うケースについては、以下のスケジューリング制限に従ってもよい：ＵＥは、ＳＭＴＣウィンドウ内の測定するＳＳＢシンボル及び各連続するＳＳＢシンボルの前後１シンボルにおいて、データ送受信することは想定しない（又はデータ送受信できない）。なお、ＳＳ−ＲＳＲＱ測定時には、この「ＳＳＢシンボル」は「ＳＳＢシンボル及びＲＳＳＩ測定シンボル」で読み替えられてもよい。
【００５４】
なお、ＦＲ２においてバンド内ＣＡが行われる場合は、スケジューリング制限は当該バンドの全サービングセルに適用されてもよい。ＦＲ２においてバンド間ＣＡが行われる場合は、スケジューリング制限は当該バンド間の（両方のバンドの）全サービングセルに適用されてもよい。
【００５５】
また、ＦＲ１及びＦＲ２においてバンド間ＣＡが行われる場合は、スケジューリング制限はないと想定されてもよい。
【００５６】
ＣＡ中のあるサービングセルでのデータ送受信動作は、他サービングセルでの測定タイミング情報（例えば、ＳＭＴＣ、ＳＳＢインデックスなど）を考慮して決定されてもよい。また、バンド内ＣＡ時において、ＳＣｅｌｌ（セカンダリセル）周波数での同周波測定の可否に関する情報がＵＥに通知されてもよい。ＵＥは、当該情報に基づいてＳＣｅｌｌ周波数での同周波測定の実施を制御してもよい。
【００５７】
ところで、ＵＥは、チャネル状態情報参照信号（ＣＳＩ−ＲＳ：Channel  State  Information-Reference  Signal）ベースの同周波測定及び／又は異周波測定を行う場合もある。
【００５８】
また、ＵＥは、無線リンクモニタリング（ＲＬＭ：Radio  Link  Monitoring）のための測定（ＲＬＭ測定と呼ばれてもよい）を行う場合もある。ＲＬＭによって無線リンク障害（ＲＬＦ：Radio  Link  Failure）が検出されると、ＲＲＣコネクションの再確立（re-establishment）が行われてもよい。ＲＬＭ用参照信号（ＲＬＭ−ＲＳ）は、ＳＳＢ、ＣＳＩ−ＲＳ、ＰＳＳ、ＳＳＳ、ＤＭＲＳ、モビリティ参照信号（ＭＲＳ：Mobility  RS）、ビーム固有信号などの少なくとも１つ、又はこれらを拡張、変更などして構成される信号であってもよい。
【００５９】
また、ＵＥは、Ｌ１−ＲＳＲＰ（物理レイヤにおける参照信号受信電力（ＲＳＲＰ：Reference  Signal  Received  Power）のための測定を行う場合もある。Ｌ１−ＲＳＲＰ用参照信号は、ＳＳＢ、ＣＳＩ−ＲＳ、ＰＳＳ、ＳＳＳ、ＤＭＲＳ、ＭＲＳ、ビーム固有信号などの少なくとも１つ、又はこれらを拡張、変更などして構成される信号であってもよい。
【００６０】
また、ＵＥは、ビーム障害検出（beam  failure  detection）のための測定を行う場合もある。ビーム障害検出用参照信号は、ＳＳＢ、ＣＳＩ−ＲＳ、ＰＳＳ、ＳＳＳ、ＤＭＲＳ、ＭＲＳ、ビーム固有信号などの少なくとも１つ、又はこれらを拡張、変更などして構成される信号であってもよい。
【００６１】
Ｌ１−ＲＳＲＰ測定及びビーム障害検出のための測定は、物理レイヤの測定であるため、Ｌ１測定（Layer1  measurement）と呼ばれてもよい。Ｌ１−ＲＳＲＰ用参照信号及びビーム障害検出用参照信号は、Ｌ１測定用参照信号（Ｌ１−ＲＳ）と呼ばれてもよい。
【００６２】
これまでＮＲで検討されてきたのは、上述のとおりＳＳＢベースの同周波測定及び／又は異周波測定（ＳＳＢ測定）を行っている場合のデータ送受信動作である。しかしながら、ＣＳＩ−ＲＳベースの同周波測定及び／又は異周波測定（ＣＳＩ−ＲＳ測定）、ＲＬＭ測定及びＬ１測定を行っている場合のデータ送受信動作については、検討されていない。
【００６３】
例えば、ＲＬＭ−ＲＳ（又はＬ１−ＲＳ）とデータのＳＣＳが異なる場合、これらを同時に送受信できるのかは検討されていない。また、ＦＲ２においてデータ受信のアナログＢＦとＲＬＭ（又はＬ１−ＲＳＲＰ）用アナログＢＦが同じか否かは検討されていない。
【００６４】
ＣＳＩ−ＲＳ測定、ＲＬＭ測定及びＬ１測定を行っている場合のデータ送受信動作を適切に規定しなければ、通信スループットが低下するという課題がある。
【００６５】
そこで、本発明者は、ＣＳＩ−ＲＳ測定、ＲＬＭ測定及びＬ１測定を行っている場合のＵＥ動作を着想した。
【００６６】
以下、本開示に係る実施形態について、図面を参照して詳細に説明する。各実施形態に係る無線通信方法は、それぞれ単独で適用されてもよいし、組み合わせて適用されてもよい。
【００６７】
なお、以下の実施形態における「前後１シンボル」は、「（時間的に）前及び後の少なくとも一方に所定数のシンボル」、「（時間的に）前に第１の数のシンボル及び後ろに第２の数のシンボル」で読み替えられてもよい。所定数、第１の数及び第２の数は、例えば、１、２、３シンボルなどであってもよい。また、第１の数及び第２の数は同じでなくてもよい。
【００６８】
（無線通信方法）
＜第１の実施形態＞
第１の実施形態は、ＣＳＩ−ＲＳ測定時のデータ送受信に関する。
【００６９】
ＦＲ１においては、同期環境及び非同期環境に関わらず、あるＳＣＳのＣＳＩ−ＲＳを測定する場合には、同じＳＣＳのデータのスケジューリング制限はないと想定されてもよい。つまり、ＣＳＩ−ＲＳとデータのＳＣＳが同じ場合、ＵＥは当該ＣＳＩ−ＲＳ測定中に当該データを送受信してもよい。
【００７０】
ＵＥは、異なるニューメロロジーのデータ及びＣＳＩ−ＲＳの同時送受信をサポートしてもよく、当該能力を有することはＵＥ能力情報によって基地局に報告されてもよい。ＵＥは、異なるニューメロロジーのデータ及びＳＳＢの同時送受信能力（例えば、simultaneousRxDataSSB-DiffNumerology）をサポートする場合に、異なるニューメロロジーのデータ及びＣＳＩ−ＲＳの同時送受信をサポートすると想定してもよい。
【００７１】
ＵＥは、異なるニューメロロジーのデータ及びＳＳＢの同時送受信能力（例えば、simultaneousRxDataSSB-DiffNumerology）とは別の能力として、異なるニューメロロジーのデータ及びＣＳＩ−ＲＳの同時送受信能力をサポートしてもよい。つまり、異なるニューメロロジーのデータ及びＣＳＩ−ＲＳの同時送受信能力を示すＵＥ能力情報は、異なるニューメロロジーのデータ及びＳＳＢの同時送受信能力を示すＵＥ能力情報とは別に規定されてもよい。
【００７２】
異なるＳＣＳのＣＳＩ−ＲＳ及びデータの同時送受信の能力を持つＵＥは、データのスケジューリング制限はないと想定してもよい。つまり、ＣＳＩ−ＲＳとデータのＳＣＳが異なる場合であっても、ＵＥは当該ＣＳＩ−ＲＳ測定中に当該データを送受信してもよい。
【００７３】
異なるＳＣＳのＣＳＩ−ＲＳ及びデータの同時送受信の能力を持たないＵＥは、以下のスケジューリング制限に従ってもよい：ＣＳＩ−ＲＳ測定中に当該ＣＳＩ−ＲＳとＳＣＳが異なるデータの送受信をすることは想定しない（又はデータ送受信できない）。なお、同期環境及び非同期環境における動作については、後述する。
【００７４】
なお、異なるニューメロロジーのデータ及びＣＳＩ−ＲＳの同時送受信の能力について、規定されなくてもよい。この場合、（全ての）ＵＥは、異なるＳＣＳのＣＳＩ−ＲＳ及びデータの同時送受信ができると想定してもよいし、できないと想定してもよい。当該想定について、仕様に規定されてもよい。
【００７５】
ＦＲ２においては，ＣＳＩ−ＲＳ測定の場合も、ＳＳＢ測定と同様に受信ビームを周辺セルに向けることが想定される。このため、ＦＲ２のＣＳＩ−ＲＳ測定を行うケースについては、ＵＥは、測定するＣＳＩ−ＲＳシンボル及び当該ＣＳＩ−ＲＳシンボルの前後１シンボルにおいて、データ送受信することは想定しない（又はデータ送受信できない）。
【００７６】
なお、ＦＲ２においてバンド内ＣＡが行われる場合は、スケジューリング制限は当該バンドの全サービングセルに適用されてもよい。ＦＲ２においてバンド間ＣＡが行われる場合は、スケジューリング制限は当該バンド間の（両方のバンドの）全サービングセルに適用されてもよい。つまり、ＦＲ２においてバンド内ＣＡ又はバンド間ＣＡが行われる場合は、全サービングセルにおけるＣＳＩ−ＲＳシンボル及び当該ＣＳＩ−ＲＳシンボルの前後１シンボルにおいて、データ送受信することを想定しなくてもよい。
【００７７】
＜同期環境＞
ＵＥは、ＦＲ１において同期環境を想定できる場合、ＣＳＩ−ＲＳシンボル及び当該ＣＳＩ−ＲＳシンボルの前後１シンボルにおいて、当該ＣＳＩ−ＲＳとＳＣＳが異なるデータの送受信をすることを想定しなくてもよい。
【００７８】
ＵＥは、ＦＲ１においてバンド内ＣＡが行われ、当該ＦＲ１において同期環境を想定できる場合、スケジューリング制限は当該バンドの全サービングセルに適用されると想定してもよい。
【００７９】
ＵＥは、ＦＲ１においてバンド間ＣＡが行われ、当該ＦＲ１において同期環境を想定できる場合、スケジューリング制限はないと想定してもよいし、スケジューリング制限は当該バンドの全サービングセルに適用されると想定してもよい。
【００８０】
なお、ＵＥは、全ての測定対象ＣＳＩ−ＲＳに対して関連するＳＳＢ（associated  SSB）が設定されている場合を除いて、同期環境であると想定してもよい。つまり、設定されたＣＳＩ−ＲＳの中に、１つでも関連するＳＳＢが設定されないＣＳＩ−ＲＳがあれば、ＵＥは、同期環境であると想定してもよい。設定されたＣＳＩ−ＲＳの全てに、関連するＳＳＢが設定されていれば、ＵＥは、非同期環境であると想定してもよい。
【００８１】
ＵＥは、１つのＣＳＩ−ＲＳリソースにつき１つの関連するＳＳＢを設定されてもよい。当該関連するＳＳＢは、当該ＣＳＩ−ＲＳリソースと疑似コロケーション（ＱＣＬ：Quasi-Co-Location）の関係にあってもよいし、なくてもよい。
【００８２】
ＵＥは、ＣＳＩ−ＲＳ測定において同期環境を想定できるか否かを、上記の関連するＳＳＢ以外の情報（例えば、useServingCellTimingForSync、その他の情報要素、パラメータなど）に基づいて判断してもよい。例えば、ＵＥはuseServingCellTimingForSyncが有効な場合、同期環境であると想定してもよい。また、例えばＵＥは測定対象周波数がＴＤＤバンド内の場合、同期環境であると想定してもよい。
【００８３】
図１は、同期環境を想定できる場合のスケジューリング制限の一例を示す図である。図２は、同期環境を想定できる場合のスケジューリング制限の別の一例を示す図である。図１はＵＥがＣＡを設定されていない（１つのサービングセルが設定されている）場合に相当し、図２はＵＥがＣＡを設定されている（２つのサービングセルが設定されている）場合に相当する。
【００８４】
図１では、測定対象キャリア（サービングセル、隣接セル１及び隣接セル２）において測定対象のＣＳＩ−ＲＳが送信されている。サービングセル及び隣接セル２には、スロット＃０及びスロット＃３にＣＳＩ−ＲＳリソースがある。隣接セル１には、スロット＃０−＃３にＣＳＩ−ＲＳリソースがある。ＵＥは、これらのＣＳＩ−ＲＳを用いた測定を設定されている。これらのセルは同期している。
【００８５】
図１のように同期環境を想定できる場合、ＵＥは、設定されたＣＳＩ−ＲＳシンボル及び当該ＣＳＩ−ＲＳシンボルの前後１シンボルにおいて、当該ＣＳＩ−ＲＳとＳＣＳが異なるデータの送受信をすることを想定しなくてもよい。図示される「データ送受信不可のリソース」は、ＵＥがデータのスケジューリング制限があると想定したリソースに該当する。なお、それ以外のリソースについては、ＵＥはスケジューリング制限がないと想定してもよい。
【００８６】
図２では、キャリアＢにおいて測定対象のＣＳＩ−ＲＳが送信されている。キャリアＢのサービングセル、隣接セル１及び隣接セル２のＣＳＩ−ＲＳの設定は、図１と同様である。キャリアＡ及びキャリアＢは同期している。
【００８７】
図２のように同期環境を想定できる場合、あるキャリア（キャリアＢ）において測定するＣＳＩ−ＲＳシンボル及び当該ＣＳＩ−ＲＳシンボルの前後１シンボルにおいて、同じキャリア（キャリアＢ）だけでなく別のキャリア（キャリアＡ）でも、当該ＣＳＩ−ＲＳとＳＣＳが異なるデータの送受信をすることを想定しなくてもよい。
【００８８】
なお、図１及び図２では各セルにおけるＣＳＩ−ＲＳリソースのシンボル位置が同じである（そろっている）例を示しているが、これに限られない。スロットの構成、ＣＳＩ−ＲＳの数などは、本例に限られない。ＵＥは、ＣＳＩ−ＲＳ測定が設定される少なくとも１つのセルにおけるＣＳＩ−ＲＳシンボル及び当該ＣＳＩ−ＲＳシンボルの前後１シンボルにおいて、当該ＣＳＩ−ＲＳとＳＣＳが異なるデータの送受信をすることを想定しなくてもよい。
【００８９】
＜非同期環境＞
ＵＥは、ＦＲ１において同期環境を想定できない場合、サービングセルにおけるデータと異なるＳＣＳのＣＳＩ−ＲＳをメジャメントギャップ（ＭＧ）内で測定してもよい。また、ＵＥは、当該ＭＧ内において、当該サービングセルにおけるデータの送受信をすることを想定しなくてもよい（送受信できない）。
【００９０】
この場合、ＵＥは、ＭＧ期間内に含まれるＣＳＩ−ＲＳリソースを用いて測定を実施し、ＭＧ期間外のＣＳＩ−ＲＳリソースでは測定しなくてもよい。ＵＥは、ＭＧ期間外では、ＭＧ期間内で測定するＣＳＩ−ＲＳのＳＣＳと異なるＳＣＳのデータを送受信してもよい。
【００９１】
ＵＥは、ＦＲ１において同期環境を想定できない場合、設定された所定の期間内でＣＳＩ−ＲＳを測定し、当該所定の期間内において、上記ＣＳＩ−ＲＳとＳＣＳが異なるデータを送受信することを想定しなくてもよい。当該所定の期間は、例えば、上位レイヤシグナリングによってＵＥに設定されてもよい。なお、ＵＥは、当該所定の期間内において、上記ＣＳＩ−ＲＳとＳＣＳが同じデータを送受信することを想定しなくてもよい。
【００９２】
ここで、当該所定の期間は、ＳＭＴＣウィンドウであってもよい。つまり、ＵＥがＳＳＢ測定を設定されず、ＣＳＩ−ＲＳ測定を設定される場合であっても、ＳＭＴＣウィンドウが設定されてもよい。この場合、ＵＥは、ＳＭＴＣウィンドウ内に含まれるＣＳＩ−ＲＳを用いてＣＳＩ−ＲＳ測定を実施してもよい。ＵＥは、ＳＭＴＣウィンドウ外のＣＳＩ−ＲＳリソースは測定しなくてもよい。
【００９３】
上記所定の期間は、ＣＳＩ−ＲＳ測定用のウィンドウであってもよい。当該ウィンドウは、ＳＭＴＣウィンドウとは別に規定されるウィンドウであってもよい。ＵＥは、ＣＳＩ−ＲＳ測定用のウィンドウを例えば上位レイヤシグナリングを用いて設定されると、当該ウィンドウ内に含まれるＣＳＩ−ＲＳを用いてＣＳＩ−ＲＳ測定を実施してもよい。ＵＥは、当該ウィンドウ外のＣＳＩ−ＲＳリソースは測定しなくてもよい。
【００９４】
上記所定の期間は、関連するＳＳＢ（associated  SSB）が設定されるＣＳＩ−ＲＳがＵＥに設定される場合には、必ずＵＥに設定されてもよい。
【００９５】
図３は、同期環境を想定できない場合のスケジューリング制限の一例を示す図である。図４は、同期環境を想定できない場合のスケジューリング制限の別の一例を示す図である。図３はＵＥがＣＡを設定されていない（１つのサービングセルが設定されている）場合に相当し、図４はＵＥがＣＡを設定されている（２つのサービングセルが設定されている）場合に相当する。
【００９６】
図３では、測定対象キャリア（サービングセル、隣接セル１及び隣接セル２）において測定対象のＣＳＩ−ＲＳが送信されている。ＵＥは、これらのＣＳＩ−ＲＳを用いた測定を設定されている。これらのセルは非同期である。
【００９７】
図３及び図４は、上述した、設定されたＳＭＴＣウィンドウ内でＣＳＩ−ＲＳを測定し、当該ＳＭＴＣウィンドウにおいて、上記ＣＳＩ−ＲＳとＳＣＳが異なるデータを送受信することを想定しないケースに該当する。図３及び図４には、各ＣＳＩ−ＲＳに関連するＳＳＢのリソースも示されている。なお、ＣＳＩ−ＲＳ及び当該ＣＳＩ−ＲＳに関連するＳＳＢは、同じスロットに含まれてもよいし、互いに別のスロットに含まれてもよい。
【００９８】
図３のように同期状態を想定できない場合、ウィンドウ期間内において、任意のシンボルがＣＳＩ−ＲＳ測定に利用される可能性があるため、ＵＥは、当該ウィンドウ期間内において、データを送受信することを想定しなくてもよい。
【００９９】
図４では、キャリアＢにおいて測定対象のＣＳＩ−ＲＳが送信されている。キャリアＢのサービングセル、隣接セル１及び隣接セル２のＣＳＩ−ＲＳの設定は、図１と同様である。本例ではキャリアＡのサービングセル及びキャリアＢのサービングセルのフレームタイミングがそろっている例を示しているが、そろっていなくてもよい。
【０１００】
図４のように同期環境を想定できない場合、あるキャリア（キャリアＢ）において設定された上記ウィンドウ期間内において、任意のシンボルがＣＳＩ−ＲＳ測定に利用される可能性があるため、ＵＥは、当該ウィンドウ期間内において、データを送受信することを想定しなくてもよい。
【０１０１】
以上説明した第１の実施形態によれば、ＵＥは、ＣＳＩ−ＲＳ測定時のデータ送受信のスケジューリング制限を適切に想定できる。
【０１０２】
＜第２の実施形態＞
第２の実施形態は、ＲＬＭ−ＲＳ測定時のデータ送受信に関する。
【０１０３】
まず、ＰＣｅｌｌ（プライマリセル）／ＰＳＣｅｌｌ（プライマリセカンダリセル）周波数（ＰＣｅｌｌとＰＳＣｅｌｌとの少なくとも一方を含んだ周波数）における、ＲＬＭ用参照信号（ＲＬＭ−ＲＳ）シンボル上のデータ送受信動作について説明する。
【０１０４】
≪ＦＲ１≫
ＦＲ１においては、ＲＬＭ用参照信号とデータとのＳＣＳが同一の場合、ＵＥは、スケジューリング制限はないと想定してもよい。すなわち、ＵＥは、ＲＬＭ用参照信号とデータとのＳＣＳが同じ場合、無線リンクモニタリング中に当該データの送受信を行ってもよい。なお、本開示における「無線リンクモニタリング中に」は、「ＲＬＭ−ＲＳシンボル上で」、「ＲＬＭ−ＲＳシンボル及び当該ＲＬＭ−ＲＳシンボルの前後１シンボル上で」などで読み替えられてもよい。
【０１０５】
一方、ＦＲ１において、ＲＬＭ用参照信号とデータとのＳＣＳが異なる場合、ＵＥは例えば、以下のスケジューリング制限（スケジューリング制限なしを含むAlt.  1-3）に従ってもよい。
【０１０６】
(Alt.  1)  ＵＥは、ＲＬＭ用参照信号及びデータを同時に送受信することを想定しない（送受信不可とする）。ＵＥは、ＲＬＭ用参照信号とデータとのＳＣＳが異なる場合、無線リンクモニタリング中に当該データの送受信することを想定しなくてもよい。このようなスケジューリング制限は、当該ＵＥと同じＰＣｅｌｌ／ＰＳＣｅｌｌ周波数で通信を行う全てのＵＥに適用されてもよい。
【０１０７】
(Alt.  2)  ＵＥは、ＵＥ能力（UE  Capability）を用いたスケジューリング制限に従ってもよい。
【０１０８】
例えば、ＳＳＢに基づくＲＲＭ測定では、異なるニューメロロジーのデータ及びＳＳＢの同時送受信能力（simultaneousRxDataSSB-DiffNumerology）が規定されている。ＲＬＭ用参照信号（ＲＬＭ−ＲＳ）がＳＳＢである場合、上記ＵＥ能力（simultaneousRxDataSSB-DiffNumerology）をリユースしてもよい。当該ＵＥ能力を有するＵＥは、ＲＬＭ用参照信号とデータとのＳＣＳが異なっていても、無線リンクモニタリング中にデータの送受信を行ってもよい。当該ＵＥ能力を有しないＵＥは、ＲＬＭ用参照信号とデータとのＳＣＳが異なっている場合、同時送受信（当該データの送受信）を不可と想定してもよい。
【０１０９】
なお、ＲＬＭ用参照信号がＣＳＩ−ＲＳである場合も、上記ＵＥ能力をリユースしてもよい。又は、ＲＬＭ用参照信号とデータとのＳＣＳが異なっていても、無線リンクモニタリング中にデータの送受信を行えるＵＥ能力を示す、新たなＵＥ能力を規定してもよい。ＵＥは、当該新たなＵＥ能力を有する場合、ＲＬＭ用参照信号とデータとのＳＣＳが異なっていても、無線リンクモニタリング中にデータの送受信を行えると想定してもよい。
【０１１０】
ＲＬＭ用参照信号が特定の参照信号（例えば、ＣＳＩ−ＲＳ）である場合、ＵＥは、同時送受信（当該データの送受信）を不可と想定してもよい（つまりＲＬＭ用参照信号と異なるＳＣＳのデータを同時送受信することをサポートしなくてもよい）。
【０１１１】
(Alt.  3)  ＵＥは、スケジューリング制限はないと想定してもよい。すなわち、ＵＥは、ＳＣＳが異なるＲＬＭ用参照信号及びデータの同時送受信（当該データの送受信）ができると想定してもよい。このようなスケジューリング制限は、ＲＬＭを特別に扱う場合に適用することができる。
【０１１２】
≪ＦＲ２≫
ＦＲ２においては、アナログＢＦの観点から以下のスケジューリング制限が考えられる。
【０１１３】
ＦＲ２において、ＲＬＭ用参照信号とデータとのＳＣＳが同一の場合、ＵＥは、例えば、以下のスケジューリング制限（スケジューリング制限なしを含むAlt.  a-c）に従ってもよい。なお、ＳＳＢに基づくＲＲＭ測定ではアナログ受信ＢＦを周辺セルに向けることから、ＵＥは同時受信不可とする。
【０１１４】
(Alt.  a)  ＵＥは他の条件に依らず（必ず）、ＲＬＭ−ＲＳ及びデータを同時送受信不可と想定する。この想定によれば、例えば、ＳＳＢに基づくＲＲＭ測定の時と同様に、データを送受するビームと同じビームがＲＬＭで使用されるとは限らない、という事態に対応できる。
【０１１５】
(Alt.  b)  ＵＥは、他の条件（例：ＰＤＣＣＨと疑似コロケーション（ＱＣＬ：Quasi-Co-Location）であるＲＬＭ−ＲＳシンボル上など）次第で、ＲＬＭ−ＲＳ及びデータを同時受信可と想定する。例えば、アクティブな送信構成指示（ＴＣＩ： Transmission  Configuration  Indicator）の状態（ＴＣＩ状態（TCI-state））（ＰＤＣＣＨのビーム）とＱＣＬなＲＳのみをＲＬＭ−ＲＳとしてモニタリングしている場合（例えば、ＲＬＭ−ＲＳをイクスプリシットに（明示的に）指定していない場合）は、データ送受信に使用されるアナログＢＦでＲＬＭすると考えられるため、ＵＥはＲＬＭ−ＲＳ及びデータを同時送受信可能と想定してもよい。
【０１１６】
なお、ＵＥは、チャネル（例えば、ＰＤＣＣＨ、ＰＤＳＣＨ）のＱＣＬに関する情報（ＱＣＬ情報）に基づいて、当該チャネルの受信処理（例えば、デマッピング、復調、復号の少なくとも１つ）を制御してもよい。ここで、ＱＣＬとは、チャネルの統計的性質を示す指標である。例えば、ある信号と他の信号がＱＣＬの関係である場合、これらの異なる複数の信号間において、ドップラーシフト（doppler  shift）、ドップラースプレッド（doppler  spread）、平均遅延（average  delay）、遅延スプレッド（delay  spread）、空間パラメータ（Spatial  parameter）（例えば、空間受信パラメータ（Spatial  Rx  Parameter））の少なくとも１つが同一である（これらの少なくとも１つに関してＱＣＬである）と仮定できることを意味してもよい。
【０１１７】
なお、空間受信パラメータは、ＵＥの受信ビーム（例えば、受信アナログビーム）に対応してもよく、空間的ＱＣＬに基づいてビームが特定されてもよい。本開示におけるＱＣＬ、及びＱＣＬの少なくとも１つの要素は、ｓＱＣＬ（spatial  QCL）で読み替えられてもよい。
【０１１８】
ＴＣＩ状態は、ＱＣＬ情報を示してもよい（含んでもよい）。ＴＣＩ状態（及び／又はＱＣＬ情報）は、例えば、対象となるチャネル（又は当該チャネル用の参照信号（ＲＳ：Reference  Signal））と、別の信号（例えば、別の下り参照信号（ＤＬ−ＲＳ：Downlink  Reference  Signal））とのＱＣＬに関する情報であってもよい。
【０１１９】
(Alt.  c)  ＵＥは、他の条件に依らず（必ず）、ＲＬＭ−ＲＳ及びデータを同時送受信可と想定する。すなわち、ＵＥは、スケジューリング制限はないと想定する。この想定によればデータに用いられるアナログＢＦのビームと、同じビームでのみＲＬＭが行われる、という事態に対応できる。
【０１２０】
一方、ＦＲ２において、ＲＬＭ用参照信号とデータとのＳＣＳが異なる場合、ＵＥは上記Alt.  1-3及びAlt.  a-cのいずれか又はこれらの任意の組み合わせに基づいたスケジューリング制限に従ってもよい。アナログＢＦがデータとＲＬＭで共通の場合、ＳＣＳが異なるデータ及びＲＬＭ−ＲＳの同時送受信が可か不可かに影響するため、これに対応できる。
【０１２１】
なお、Alt.  1-3は、ＦＲ１のＳＣＳが異なる場合のAlt.  1-3以外のスケジューリング制限であってもよい。Alt.  a-cは、ＦＲ２のＳＣＳが同じ場合のAlt.  a-c以外のスケジューリング制限であってもよい。
【０１２２】
＜バンド内ＣＡ、バンド間ＣＡにおけるＳＣｅｌｌのスケジューリング制限＞
次に、バンド内ＣＡ（intra-band  CA）又はバンド間ＣＡ（inter-band  CA）におけるＳＣｅｌｌ上のスケジューリング制限について説明する。
【０１２３】
≪ＦＲ１でバンド内ＣＡの場合≫
ＦＲ１でバンド内ＣＡが行われている場合、ＵＥは、ＳＣｅｌｌサービングセル上において、データの送受信について以下の制限（スケジューリング制限）に従ってもよい。
【０１２４】
(Alt.  1)  ＵＥは、ＦＲ１のＰＣｅｌｌ／ＰＳＣｅｌｌ上と同じスケジューリング制限に従ってもよい。なお、当該(Alt.  1)はＳＳＢに基づいたＲＲＭ測定中のスケジューリング制限に相当するため、ＳＳＢ測定との親和性がある。
【０１２５】
(Alt.  2)  ＵＥは、スケジューリング制限はないと想定してもよい。すなわち、ＵＥは、ＦＲ１でバンド内ＣＡが行われている場合、ＳＣｅｌｌサービングセル上において、無線リンクモニタリング中にデータの送受信を行ってもよい。
【０１２６】
≪ＦＲ１でバンド間ＣＡの場合≫
ＦＲ１でバンド間ＣＡが行われている場合、ＵＥは、ＳＣｅｌｌサービングセル上において、データの送受信について以下の制限（スケジューリング制限）に従ってもよい。
【０１２７】
(Alt.  1)  ＵＥは、ＦＲ１のＰＣｅｌｌ／ＰＳＣｅｌｌ上と同じスケジューリング制限に従ってもよい。
【０１２８】
(Alt.  2)  ＵＥは、スケジューリング制限はないと想定してもよい。すなわち、ＵＥは、ＦＲ１でバンド間ＣＡが行われている場合、ＳＣｅｌｌサービングセル上において、無線リンクモニタリング中にデータの送受信を行ってもよい。なお、当該(Alt.  2)はＳＳＢに基づいたＲＲＭ測定中のスケジューリング制限に相当するため、ＳＳＢ測定との親和性がある。
【０１２９】
≪ＦＲ２でバンド内ＣＡの場合≫
ＦＲ２でバンド内ＣＡが行われている場合、ＵＥは、ＳＣｅｌｌサービングセル上において、データの送受信について以下の制限（スケジューリング制限）に従ってもよい。
【０１３０】
(Alt.  1)  ＵＥは、ＦＲ２のＰＣｅｌｌ／ＰＳＣｅｌｌ上と同じスケジューリング制限に従ってもよい。なお、当該(Alt.  1)はＳＳＢに基づいたＲＲＭ測定中のスケジューリング制限に相当するため、ＳＳＢ測定との親和性がある。
【０１３１】
(Alt.  2)  ＵＥは、スケジューリング制限はないと想定してもよい。すなわち、ＵＥは、ＦＲ２でバンド内ＣＡが行われている場合、ＳＣｅｌｌサービングセル上において、無線リンクモニタリング中にデータの送受信を行ってもよい。
【０１３２】
≪ＦＲ２でバンド間ＣＡの場合≫
ＦＲ２でバンド間ＣＡが行われている場合、ＵＥは、ＳＣｅｌｌサービングセル上において、データの送受信について以下の制限（スケジューリング制限）に従ってもよい。
【０１３３】
(Alt.  1)  ＵＥは、ＦＲ２のＰＣｅｌｌ／ＰＳＣｅｌｌ上と同じスケジューリング制限に従ってもよい。なお、当該(Alt.  1)はＳＳＢに基づいたＲＲＭ測定中のスケジューリング制限に相当するため、ＳＳＢ測定との親和性がある。
【０１３４】
(Alt.  2)  ＵＥは、スケジューリング制限はないと想定してもよい。すなわち、ＵＥは、ＦＲ２でバンド間ＣＡが行われている場合、ＳＣｅｌｌサービングセル上において、無線リンクモニタリング中にデータの送受信を行ってもよい。
【０１３５】
≪ＦＲ１−ＦＲ２におけるバンド間ＣＡの場合≫
ＦＲ１−ＦＲ２間でバンド間ＣＡが行われている場合、ＵＥは、ＳＣｅｌｌサービングセル上において、スケジューリング制限はないと想定してもよい。すなわち、ＵＥは、ＦＲ１とＦＲ２との間でバンド間ＣＡが行われている場合、ＳＣｅｌｌサービングセル上において、無線リンクモニタリング中にデータの送受信を行ってもよい。
【０１３６】
次に、上述した各種ケースにおけるスケジューリング制限について、いくつかの例をより詳細に説明する。
【０１３７】
＜ＲＬＭ用参照信号（ＲＬＭ−ＲＳ）がＳＳブロックの場合とＣＳＩ−ＲＳの場合について＞
ＲＬＭ用参照信号（ＲＬＭ−ＲＳ）の種別（種類）によって（例えば、ＳＳブロックの場合とＣＳＩ−ＲＳの場合とで）、異なるスケジューリング制限が規定されてもよい。参照信号の種別は、当該参照信号がＳＳＢ、ＣＳＩ−ＲＳ、ＰＳＳ、ＳＳＳ、ＤＭＲＳ、ＭＲＳ、ビーム固有信号などのいずれであるかを意味してもよい。
【０１３８】
ＵＥは、ＲＬＭ−ＲＳとデータの同時送受信の可否を、ＲＬＭ−ＲＳとしてＳＳＢが設定される場合には第１のスケジューリング制限に基づいて判断し、ＲＬＭ−ＲＳとしてＣＳＩ−ＲＳが設定される場合には第２のスケジューリング制限に基づいて判断してもよい。
【０１３９】
例えば、ＦＲ１において、ＲＬＭ用参照信号とデータとのＳＣＳが異なる場合であって、ＲＬＭ用参照信号がＳＳブロックである場合、所定のＵＥ能力（例えば、ＲＲＭ用のＵＥ能力（simultaneousRxDataSSB-DiffNumerologyなど））を有するか否かに応じて同時送受信可否が決定されてもよい。
【０１４０】
また、ＦＲ１において、ＲＬＭ用参照信号がＣＳＩ−ＲＳである場合、ＣＳＩ−ＲＳに基づいた測定を規定するＵＥ能力（ＣＳＩ−ＲＳに基づいたＲＲＭのＵＥ能力）が利用できるとは限らないことが想定される。そのため、ＲＬＭ用参照信号がＣＳＩ−ＲＳである場合、ＵＥは、ＲＲＭ用のＵＥ能力を有する又は有しないにかかわらずＲＬＭ−ＲＳ及びデータを同時送受信不可と想定してもよい。
【０１４１】
＜ＲＬＭとＲＲＭとにおけるスケジューリング制限の制御＞
ＲＬＭにおけるスケジューリング制限は、ＳＳブロック又はＣＳＩ−ＲＳに基づいたＲＲＭ測定（SSB-based/CSI-RS-based  RRM  measurement）におけるスケジューリング制限よりも緩和させることが考えられる。ＳＳＢに基づくＲＲＭ測定は、単にＳＳＢ測定と呼ばれてもよいし、ＣＳＩ−ＲＳに基づくＲＲＭ測定は、単にＣＳＩ−ＲＳ測定と呼ばれてもよい。本開示において、ＲＲＭ測定に用いるＲＳは、ＲＲＭ−ＲＳと呼ばれてもよい。
【０１４２】
ＵＥは、同じ種別の参照信号をＲＲＭ測定及びＲＬＭ測定の両方に用いるように設定された場合、ＲＲＭ−ＲＳの測定タイミングとＲＬＭ−ＲＳの測定タイミングとでは、異なるデータ送受信制御を適用してもよい（異なるスケジューリング制限を想定してもよい）。
【０１４３】
ここで、同じ種別の参照信号をＲＲＭ測定及びＲＬＭ測定の両方に用いるとは、例えば、ＲＲＭ−ＲＳ及びＲＬＭ−ＲＳの両方がＳＳＢであると設定されることを意味してもよいし、ＲＲＭ−ＲＳ及びＲＬＭ−ＲＳの両方がＣＳＩ−ＲＳであると設定されることを意味してもよい。
【０１４４】
（例１）  ＦＲ２の場合、ＳＳブロック又はＣＳＩ−ＲＳに基づいたＲＲＭ測定中はアナログＢＦを周辺セルにも向けると想定されるため、ＵＥは当該ＲＲＭ測定と同時のデータ送受信が不可と想定する。一方、ＲＬＭ中は条件次第（アクティブなＴＣＩ状態とＱＣＬであるＲＬＭ用参照信号をモニタリングしているときなど）で、ＲＬＭと同時のデータ送受信を可と想定してもよい。
【０１４５】
（例２）  ＦＲ１及び／又はＦＲ２の同期環境において、ＲＲＭ測定中は周辺セルの参照信号の到来タイミングがサービングセルのフレームタイミングと伝搬遅延差分（＋基地局間同期誤差分）ずれる。このため、ＵＥは、ＲＲＭ用の参照信号（ＳＳＢ、ＣＳＩ−ＲＳなど）のシンボル及び、当該シンボルの前後１シンボル分もデータ送受信不可と想定する。一方、ＵＥは、ＲＬＭでは、ＲＬＭ用参照信号のシンボル上のみでデータ同時送受信不可と想定してもよい。これは、ＲＬＭでは周辺セルの信号をモニタするのではなく、自セルの信号のみをモニタするので、前後の一つ以上のシンボルというマージンが不要になるためである。
【０１４６】
以上説明した第２の実施形態によれば、ＵＥは、ＲＬＭ−ＲＳ測定時のデータ送受信のスケジューリング制限を適切に想定できる。
【０１４７】
＜第３の実施形態＞
第３の実施形態は、Ｌ１測定時のデータ送受信に関する。
【０１４８】
まず、ＰＣｅｌｌ（プライマリセル）／ＰＳＣｅｌｌ（プライマリセカンダリセル）周波数（ＰＣｅｌｌとＰＳＣｅｌｌとの少なくとも一方を含んだ周波数）における、Ｌ１測定用参照信号（Ｌ１−ＲＳ）シンボル上のデータ送受信動作について説明する。
【０１４９】
なお、Ｌ１−ＲＳＲＰ測定（物理レイヤにおける参照信号受信電力（ＲＳＲＰ：Reference  Signal  Received  Power）及びビーム障害検出（beam  failure  detection）のための測定は、物理レイヤの測定であるため、Ｌ１測定と呼ばれてもよい。本開示のＬ１測定用参照信号（Ｌ１−ＲＳ、Ｌ１測定ＲＳなどと呼ばれてもよい）は、Ｌ１−ＲＳＲＰ用参照信号及びビーム障害検出用参照信号の少なくとも一方で読み替えられてもよい。
【０１５０】
≪ＦＲ１≫
ＦＲ１においては、Ｌ１測定用参照信号とデータとのＳＣＳが同一の場合、ＵＥは、スケジューリング制限はないと想定してもよい。すなわち、ＵＥは、Ｌ１測定用参照信号とデータとのＳＣＳが同じ場合、Ｌ１測定中に当該データの送受信を行ってもよい。なお、本開示における「Ｌ１測定中に」は、「Ｌ１−ＲＳシンボル上で」、「Ｌ１−ＲＳシンボル及び当該Ｌ１−ＲＳシンボルの前後１シンボル上で」などで読み替えられてもよい。
【０１５１】
一方、ＦＲ１において、Ｌ１測定用参照信号とデータとのＳＣＳが異なる場合、ＵＥは例えば、以下のスケジューリング制限（スケジューリング制限なしを含むAlt.  1-3）に従ってもよい。
【０１５２】
(Alt.  1)  ＵＥは、Ｌ１測定用参照信号及びデータを同時に送受信することを想定しない（送受信不可とする）。ＵＥは、Ｌ１測定用参照信号とデータとのＳＣＳが異なる場合、Ｌ１測定中に当該データの送受信することを想定しなくてもよい。このようなスケジューリング制限は、当該ＵＥと同じＰＣｅｌｌ／ＰＳＣｅｌｌ周波数で通信を行う全てのＵＥに適用されてもよい。
【０１５３】
(Alt.  2)  ＵＥは、ＵＥ能力（UE  Capability）を用いたスケジューリング制限に従ってもよい。
【０１５４】
例えば、ＳＳＢに基づくＲＲＭ測定では、異なるニューメロロジーのデータ及びＳＳＢの同時送受信能力（simultaneousRxDataSSB-DiffNumerology）が規定されている。Ｌ１測定用参照信号（Ｌ１−ＲＳ）がＳＳＢである場合、上記ＵＥ能力（simultaneousRxDataSSB-DiffNumerology）をリユースしてもよい。当該ＵＥ能力を有するＵＥは、Ｌ１測定用参照信号とデータとのＳＣＳが異なっていても、Ｌ１測定中にデータの送受信を行ってもよい。当該ＵＥ能力を有しないＵＥは、Ｌ１測定用参照信号とデータとのＳＣＳが異なっている場合、同時送受信（当該データの送受信）を不可と想定してもよい（同時に送受信することを想定しなくてもよい）。
【０１５５】
なお、Ｌ１測定用参照信号がＣＳＩ−ＲＳである場合も、上記ＵＥ能力をリユースしてもよい。又は、Ｌ１測定用参照信号とデータとのＳＣＳが異なっていても、同時に送受信することを想定しないＬ１測定中にデータの送受信を行えるＵＥ能力を示す、新たなＵＥ能力を規定してもよい。ＵＥは、当該新たなＵＥ能力を有する場合、Ｌ１測定用参照信号とデータとのＳＣＳが異なっていても、Ｌ１測定中にデータの送受信を行えると想定してもよい。
【０１５６】
Ｌ１測定用参照信号が特定の参照信号（例えば、ＣＳＩ−ＲＳ）である場合、ＵＥは、同時送受信（当該データの送受信）を不可と想定してもよい（つまりＬ１測定用参照信号と異なるＳＣＳのデータを同時送受信することをサポートしなくてもよい）。
【０１５７】
(Alt.  3)  ＵＥは、スケジューリング制限はないと想定してもよい。すなわち、ＵＥは、ＳＣＳが異なるＬ１測定用参照信号及びデータの同時送受信（当該データの送受信）ができると想定してもよい。このようなスケジューリング制限は、Ｌ１測定を特別に扱う場合に適用することができる。
【０１５８】
≪ＦＲ２≫
ＦＲ２においては、アナログＢＦの観点から以下のスケジューリング制限が考えられる。
【０１５９】
ＦＲ２において、Ｌ１測定用参照信号とデータとのＳＣＳが同一の場合、ＵＥは、例えば、以下のスケジューリング制限（スケジューリング制限なしを含むAlt.  a-c）に従ってもよい。なお、ＳＳＢに基づくＲＲＭ測定ではアナログ受信ＢＦを周辺セルに向けることから、ＵＥは同時受信不可とする。
【０１６０】
(Alt.  a)  ＵＥは他の条件に依らず（必ず）、Ｌ１−ＲＳ及びデータを同時送受信不可と想定する。
【０１６１】
(Alt.  b)  ＵＥは、他の条件（例：ＰＤＣＣＨとＱＣＬであるＬ１−ＲＳシンボル上など）次第で、Ｌ１−ＲＳ及びデータを同時受信可と想定する。例えば、アクティブなＴＣＩ状態（ＰＤＣＣＨのビーム）とＱＣＬなＲＳのみをＬ１−ＲＳとしてモニタリングしている場合（例えば、Ｌ１−ＲＳをイクスプリシットに（明示的に）指定していない場合）は、ＵＥはＬ１−ＲＳ及びデータを同時送受信可能と想定してもよい。
【０１６２】
(Alt.  c)  ＵＥは、他の条件に依らず（必ず）、Ｌ１−ＲＳ及びデータを同時送受信可と想定する。すなわち、ＵＥは、スケジューリング制限はないと想定する。Ｌ１測定中はサービングセルのビームのみが測定対象であると考えられるため、この想定によればデータに用いられるアナログＢＦのビームと、同じビームでのみＬ１測定が行われる、という事態に対応できる。
【０１６３】
なお、上述の(Alt.  1-3)、(Alt.  a-c)などは、Ｌ１−ＲＳＲＰ測定と、ビーム障害検出とで異なる想定を用いてもよい。例えば、ＵＥは、Ｌ１−ＲＳＲＰ測定では、(Alt.  a)のスケジューリング制限に従い、ビーム障害検出では、(Alt.  c)のスケジューリング制限に従ってもよい。
【０１６４】
一方、ＦＲ２において、Ｌ１測定用参照信号とデータとのＳＣＳが異なる場合、ＵＥは上記Alt.  1-3及びAlt.  a-cのいずれか又はこれらの任意の組み合わせに基づいたスケジューリング制限に従ってもよい。アナログＢＦがデータとＬ１測定で共通の場合、ＳＣＳが異なるデータ及びＬ１−ＲＳの同時送受信が可か不可かに影響するため、これに対応できる。
【０１６５】
なお、Alt.  1-3は、ＦＲ１のＳＣＳが異なる場合のAlt.  1-3以外のスケジューリング制限であってもよい。Alt.  a-cは、ＦＲ２のＳＣＳが同じ場合のAlt.  a-c以外のスケジューリング制限であってもよい。
【０１６６】
＜バンド内ＣＡ、バンド間ＣＡにおけるサービングセルのスケジューリング制限＞
次に、バンド内ＣＡ（intra-band  CA）又はバンド間ＣＡ（inter-band  CA）におけるサービングセル上のスケジューリング制限について説明する。
【０１６７】
≪ＦＲ１でバンド内ＣＡの場合≫
ＦＲ１でバンド内ＣＡが行われている場合、ＵＥは、サービングセル上において、データの送受信について以下の制限（スケジューリング制限）に従ってもよい。
【０１６８】
(Alt.  1)  ＵＥは、ＦＲ１のＬ１測定を行っているサービングセル上と同じスケジューリング制限に従ってもよい。なお、当該(Alt.  1)はＳＳＢに基づいたＲＲＭ測定中のスケジューリング制限に相当するため、ＳＳＢ測定との親和性がある。
【０１６９】
(Alt.  2)  ＵＥは、スケジューリング制限はないと想定してもよい。すなわち、ＵＥは、ＦＲ１でバンド内ＣＡが行われている場合、サービングセル上において、他のサービングセル上でのＬ１測定中にデータの送受信を行ってもよい。
【０１７０】
≪ＦＲ１でバンド間ＣＡの場合≫
ＦＲ１でバンド間ＣＡが行われている場合、ＵＥは、サービングセル上において、データの送受信について以下の制限（スケジューリング制限）に従ってもよい。
【０１７１】
(Alt.  1)  ＵＥは、ＦＲ１のＬ１測定を行っているサービングセル上と同じスケジューリング制限に従ってもよい。
【０１７２】
(Alt.  2)  ＵＥは、スケジューリング制限はないと想定してもよい。すなわち、ＵＥは、ＦＲ１でバンド間ＣＡが行われている場合、サービングセル上において、他バンドのサービングセル上でのＬ１測定中にデータの送受信を行ってもよい。なお、当該(Alt.  2)はＳＳＢに基づいたＲＲＭ測定中のスケジューリング制限に相当するため、ＳＳＢ測定との親和性がある。
【０１７３】
≪ＦＲ２でバンド内ＣＡの場合≫
ＦＲ２でバンド内ＣＡが行われている場合、ＵＥは、サービングセル上において、データの送受信について以下の制限（スケジューリング制限）に従ってもよい。
【０１７４】
(Alt.  1)  ＵＥは、ＦＲ２のＬ１測定を行っているサービングセル上と同じスケジューリング制限に従ってもよい。なお、当該(Alt.  1)はＳＳＢに基づいたＲＲＭ測定中のスケジューリング制限に相当するため、ＳＳＢ測定との親和性がある。
【０１７５】
(Alt.  2)  ＵＥは、スケジューリング制限はないと想定してもよい。すなわち、ＵＥは、ＦＲ２でバンド内ＣＡが行われている場合、サービングセル上において、他のサービングセル上でのＬ１測定中にデータの送受信を行ってもよい。
【０１７６】
≪ＦＲ２でバンド間ＣＡの場合≫
ＦＲ２でバンド間ＣＡが行われている場合、ＵＥは、サービングセル上において、データの送受信について以下の制限（スケジューリング制限）に従ってもよい。
【０１７７】
(Alt.  1)  ＵＥは、ＦＲ２のＬ１測定を行っているサービングセル上と同じスケジューリング制限に従ってもよい。なお、当該(Alt.  1)はＳＳＢに基づいたＲＲＭ測定中のスケジューリング制限に相当するため、ＳＳＢ測定との親和性がある。
【０１７８】
(Alt.  2)  ＵＥは、スケジューリング制限はないと想定してもよい。すなわち、ＵＥは、ＦＲ２でバンド間ＣＡが行われている場合、サービングセル上において、他バンドのサービングセル上でのＬ１測定中にデータの送受信を行ってもよい。
【０１７９】
≪ＦＲ１−ＦＲ２におけるバンド間ＣＡの場合≫
ＦＲ１−ＦＲ２間でバンド間ＣＡが行われている場合、ＵＥは、サービングセル上において、スケジューリング制限はないと想定してもよい。すなわち、ＵＥは、ＦＲ１とＦＲ２との間でバンド間ＣＡが行われている場合、ＦＲ１サービングセル上において、ＦＲ２サービングセル上でのＬ１測定中にデータの送受信を行ってもよい。また、ＦＲ２サービングセル上において、ＦＲ１サービングセル上でのＬ１測定中にデータの送受信を行ってもよい。
【０１８０】
次に、上述した各種ケースにおけるスケジューリング制限について、いくつかの例をより詳細に説明する。
【０１８１】
＜Ｌ１測定用参照信号（Ｌ１−ＲＳ）がＳＳブロックの場合とＣＳＩ−ＲＳの場合について＞
Ｌ１測定用参照信号（Ｌ１−ＲＳ）の種別（種類）によって（例えば、ＳＳブロックの場合とＣＳＩ−ＲＳの場合とで）、異なるスケジューリング制限が規定されてもよい。ＵＥは、Ｌ１−ＲＳとデータの同時送受信の可否を、Ｌ１−ＲＳとしてＳＳＢが設定される場合には第１のスケジューリング制限に基づいて判断し、Ｌ１−ＲＳとしてＣＳＩ−ＲＳが設定される場合には第２のスケジューリング制限に基づいて判断してもよい。
【０１８２】
例えば、ＦＲ１において、Ｌ１測定用参照信号とデータとのＳＣＳが異なる場合であって、Ｌ１測定用参照信号がＳＳブロックである場合、所定のＵＥ能力（例えば、ＲＲＭ用のＵＥ能力（simultaneousRxDataSSB-DiffNumerologyなど））を有するか否かに応じて同時送受信可否が決定されてもよい。
【０１８３】
また、ＦＲ１において、Ｌ１測定用参照信号がＣＳＩ−ＲＳである場合、ＣＳＩ−ＲＳに基づいた測定を規定するＵＥ能力（ＣＳＩ−ＲＳに基づいたＲＲＭのＵＥ能力）が利用できるとは限らないことが想定される。そのため、Ｌ１測定用参照信号がＣＳＩ−ＲＳである場合、ＵＥは、ＲＲＭ用のＵＥ能力を有する又は有しないにかかわらずＬ１−ＲＳ及びデータを同時送受信不可と想定してもよい。
【０１８４】
＜Ｌ１測定とＲＲＭとにおけるスケジューリング制限の制御＞
Ｌ１測定におけるスケジューリング制限は、ＳＳブロック又はＣＳＩ−ＲＳに基づいたＲＲＭ測定（SSB-based/CSI-RS-based  RRM  measurement）におけるスケジューリング制限よりも緩和させることが考えられる。ＳＳＢに基づくＲＲＭ測定は、単にＳＳＢ測定と呼ばれてもよいし、ＣＳＩ−ＲＳに基づくＲＲＭ測定は、単にＣＳＩ−ＲＳ測定と呼ばれてもよい。
【０１８５】
ＵＥは、同じ種別の参照信号をＲＲＭ測定及びＬ１測定の両方に用いるように設定された場合、ＲＲＭ−ＲＳの測定タイミングとＬ１−ＲＳの測定タイミングとでは、異なるデータ送受信制御を適用してもよい（異なるスケジューリング制限を想定してもよい）。
【０１８６】
ここで、同じ種別の参照信号をＲＲＭ測定及びＬ１測定の両方に用いるとは、例えば、ＲＲＭ−ＲＳ及びＬ１−ＲＳの両方がＳＳＢであると設定されることを意味してもよいし、ＲＲＭ−ＲＳ及びＬ１−ＲＳの両方がＣＳＩ−ＲＳであると設定されることを意味してもよい。
【０１８７】
ＵＥは、同じ種別の参照信号をＲＬＭ測定及びＬ１測定の両方に用いるように設定された場合、ＲＬＭ−ＲＳの測定タイミングとＬ１−ＲＳの測定タイミングとでは、異なるデータ送受信制御を適用してもよい（異なるスケジューリング制限を想定してもよい）。
【０１８８】
（例１）  ＦＲ２の場合、ＳＳブロック又はＣＳＩ−ＲＳに基づいたＲＲＭ測定中はアナログＢＦを周辺セルにも向けると想定されるため、ＵＥは当該ＲＲＭ測定と同時のデータ送受信が不可と想定する。一方、Ｌ１測定中はサービングセルのビームのみが測定対象であるため、Ｌ１測定と同時のデータ送受信を少なくとも特定の条件下（例えばアクティブなＴＣＩ状態（ＰＤＣＣＨのビーム）とＱＣＬなＲＳのみをＬ１−ＲＳとしてモニタリングしている場合）において可と想定してもよい。
【０１８９】
（例２）  ＦＲ１及び／又はＦＲ２の同期環境において、ＲＲＭ測定中は周辺セルの参照信号の到来タイミングがサービングセルのフレームタイミングと伝搬遅延差分（＋基地局間同期誤差分）ずれる。このため、ＵＥは、ＲＲＭ用の参照信号（ＳＳＢ、ＣＳＩ−ＲＳなど）のシンボル及び、当該シンボルの前後１シンボル分もデータ送受信不可と想定する。一方、ＵＥは、Ｌ１測定では、Ｌ１測定用参照信号のシンボル上のみでデータ同時送受信不可と想定してもよい。これは、Ｌ１測定では周辺セルの信号を測定するのではなく、自セルの信号のみを測定するので、前後の一つ以上のシンボルというマージンが不要になるためである。
【０１９０】
以上説明した第３の実施形態によれば、ＵＥは、Ｌ１測定時のデータ送受信のスケジューリング制限を適切に想定できる。
【０１９１】
＜変形例＞
ＲＲＭ測定（例えば、ＳＳＢ測定、ＣＳＩ−ＲＳ測定）、ＲＬＭ−ＲＳ測定及びＬ１測定の少なくとも２つが同じシンボルにおいて実施される場合には、実施される測定において想定されるデータ送受信のスケジューリング制限のうち、いずれかが優先的に適用される（例えば、最も厳しいスケジューリング制限が適用される）と想定してもよい。
【０１９２】
例えば、ＣＳＩ−ＲＳ測定とＲＬＭ−ＲＳ測定が同じシンボルにおいて行われる場合であって、ＣＳＩ−ＲＳ測定と同時のデータ送受信が不可と想定され、ＲＬＭ−ＲＳ測定と同時のデータ送受信が可と想定される場合には、ＵＥは、当該シンボルにおいてはデータ送受信が不可と想定してもよい。
【０１９３】
なお、上記実施形態では、１つの周波数レンジに複数のキャリアが含まれ、１つのキャリアに複数のセルが含まれる構成を主に想定して説明したが、本開示において、周波数レンジ、セル、サービングセル、キャリア、バンド及びＣＣは、相互に読み替えられてもよい。
【０１９４】
なお、本開示において、「異周波測定」は、「ハンドオーバー」で読み替えられてもよく、この場合、「測定対象」は「ターゲット」で読み替えられてもよい。
【０１９５】
（無線通信システム）
以下、本開示の一実施形態に係る無線通信システムの構成について説明する。この無線通信システムでは、本開示の上記各実施形態に係る無線通信方法のいずれか又はこれらの組み合わせを用いて通信が行われる。
【０１９６】
図５は、一実施形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。
【０１９７】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＮＲ（New  Radio）、ＦＲＡ（Future  Radio  Access）、Ｎｅｗ−ＲＡＴ（Radio  Access  Technology）などと呼ばれてもよいし、これらを実現するシステムと呼ばれてもよい。
【０１９８】
無線通信システム１は、比較的カバレッジの広いマクロセルＣ１を形成する無線基地局１１と、マクロセルＣ１内に配置され、マクロセルＣ１よりも狭いスモールセルＣ２を形成する無線基地局１２（１２ａ−１２ｃ）と、を備えている。また、マクロセルＣ１及び各スモールセルＣ２には、ユーザ端末２０が配置されている。各セル及びユーザ端末２０の配置、数などは、図に示す態様に限定されない。
【０１９９】
ユーザ端末２０は、無線基地局１１及び無線基地局１２の双方に接続することができる。ユーザ端末２０は、マクロセルＣ１及びスモールセルＣ２を、ＣＡ又はＤＣを用いて同時に使用することが想定される。また、ユーザ端末２０は、複数のセル（ＣＣ）を用いてＣＡ又はＤＣを適用してもよい。
【０２００】
ユーザ端末２０と無線基地局１１との間は、相対的に低い周波数帯域（例えば、２ＧＨｚ）で帯域幅が狭いキャリア（既存キャリア、legacy  carrierなどとも呼ばれる）を用いて通信を行うことができる。一方、ユーザ端末２０と無線基地局１２との間は、相対的に高い周波数帯域（例えば、３．５ＧＨｚ、５ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【０２０１】
また、ユーザ端末２０は、各セルで、時分割複信（ＴＤＤ：Time  Division  Duplex）及び／又は周波数分割複信（ＦＤＤ：Frequency  Division  Duplex）を用いて通信を行うことができる。また、各セル（キャリア）では、単一のニューメロロジーが適用されてもよいし、複数の異なるニューメロロジーが適用されてもよい。
【０２０２】
ニューメロロジーとは、ある信号及び／又はチャネルの送信及び／又は受信に適用される通信パラメータであってもよく、例えば、サブキャリア間隔、帯域幅、シンボル長、サイクリックプレフィックス長、サブフレーム長、ＴＴＩ長、ＴＴＩあたりのシンボル数、無線フレーム構成、送受信機が周波数領域で行う特定のフィルタリング処理、送受信機が時間領域で行う特定のウィンドウイング処理などの少なくとも１つを示してもよい。例えば、ある物理チャネルについて、構成するＯＦＤＭシンボルのサブキャリア間隔が異なる場合及び／又はＯＦＤＭシンボル数が異なる場合には、ニューメロロジーが異なると称されてもよい。
【０２０３】
無線基地局１１と無線基地局１２との間（又は、２つの無線基地局１２間）は、有線（例えば、ＣＰＲＩ（Common  Public  Radio  Interface）に準拠した光ファイバ、Ｘ２インターフェースなど）又は無線によって接続されてもよい。
【０２０４】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。また、各無線基地局１２は、無線基地局１１を介して上位局装置３０に接続されてもよい。
【０２０５】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。
【０２０６】
各ユーザ端末２０は、ＬＴＥ、ＬＴＥ−Ａなどの各種通信方式に対応した端末であり、移動通信端末（移動局）だけでなく固定通信端末（固定局）を含んでもよい。
【０２０７】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）及び／又はＯＦＤＭＡが適用される。
【０２０８】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末ごとに１つ又は連続したリソースブロックによって構成される帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【０２０９】
無線通信システム１では、下りリンクのチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下りＬ１／Ｌ２制御チャネルなどが用いられる。ＰＤＳＣＨによって、ユーザデータ、上位レイヤ制御情報、ＳＩＢ（System  Information  Block）などが伝送される。また、ＰＢＣＨによって、ＭＩＢ（Master  Information  Block）が伝送される。
【０２１０】
下りＬ１／Ｌ２制御チャネルは、ＰＤＣＣＨ（Physical  Downlink  Control  Channel）、ＥＰＤＣＣＨ（Enhanced  Physical  Downlink  Control  Channel）、ＰＣＦＩＣＨ（Physical  Control  Format  Indicator  Channel）、ＰＨＩＣＨ（Physical  Hybrid-ARQ  Indicator  Channel）などを含む。ＰＤＣＣＨによって、ＰＤＳＣＨ及び／又はＰＵＳＣＨのスケジューリング情報を含む下り制御情報（ＤＣＩ：Downlink  Control  Information）などが伝送される。
【０２１１】
なお、ＤＬデータ受信をスケジューリングするＤＣＩは、ＤＬアサインメントと呼ばれてもよいし、ＵＬデータ送信をスケジューリングするＤＣＩは、ＵＬグラントと呼ばれてもよい。
【０２１２】
ＰＣＦＩＣＨによって、ＰＤＣＣＨに用いるＯＦＤＭシンボル数が伝送される。ＰＨＩＣＨによって、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫなどともいう）が伝送される。ＥＰＤＣＣＨは、ＰＤＳＣＨ（下り共有データチャネル）と周波数分割多重され、ＰＤＣＣＨと同様にＤＣＩなどの伝送に用いられる。
【０２１３】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨによって、ユーザデータ、上位レイヤ制御情報などが伝送される。また、ＰＵＣＣＨによって、下りリンクの無線品質情報（ＣＱＩ：Channel  Quality  Indicator）、送達確認情報、スケジューリングリクエスト（ＳＲ：Scheduling  Request）などが伝送される。ＰＲＡＣＨによって、セルとの接続確立のためのランダムアクセスプリアンブルが伝送される。
【０２１４】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【０２１５】
（無線基地局）
図６は、一実施形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【０２１６】
下りリンクによって無線基地局１０からユーザ端末２０に送信されるユーザデータは、上位局装置３０から伝送路インターフェース１０６を介してベースバンド信号処理部１０４に入力される。
【０２１７】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化、逆高速フーリエ変換などの送信処理が行われて、送受信部１０３に転送される。
【０２１８】
送受信部１０３は、ベースバンド信号処理部１０４からアンテナごとにプリコーディングして出力されたベースバンド信号を無線周波数帯に変換して送信する。送受信部１０３で周波数変換された無線周波数信号は、アンプ部１０２によって増幅され、送受信アンテナ１０１から送信される。送受信部１０３は、本開示に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０２１９】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【０２２０】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの呼処理（設定、解放など）、無線基地局１０の状態管理、無線リソースの管理などを行う。
【０２２１】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の無線基地局１０と信号を送受信（バックホールシグナリング）してもよい。
【０２２２】
なお、送受信部１０３は、アナログビームフォーミングを実施するアナログビームフォーミング部をさらに有してもよい。アナログビームフォーミング部は、本発明に係る技術分野での共通認識に基づいて説明されるアナログビームフォーミング回路（例えば、位相シフタ、位相シフト回路）又はアナログビームフォーミング装置（例えば、位相シフト器）から構成してもよい。また、送受信アンテナ１０１は、例えばアレーアンテナによって構成してもよい。
【０２２３】
図７は、本開示の一実施形態に係る無線基地局の機能構成の一例を示す図である。なお、本例では、本実施形態における特徴部分の機能ブロックを主に示しており、無線基地局１０は、無線通信に必要な他の機能ブロックも有すると想定されてもよい。
【０２２４】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、無線基地局１０に含まれていればよく、一部又は全部の構成がベースバンド信号処理部１０４に含まれなくてもよい。
【０２２５】
制御部（スケジューラ）３０１は、無線基地局１０全体の制御を実施する。制御部３０１は、本開示に係る技術分野での共通認識に基づいて説明されるコントローラ、制御回路又は制御装置から構成することができる。
【０２２６】
制御部３０１は、例えば、送信信号生成部３０２における信号の生成、マッピング部３０３における信号の割り当てなどを制御する。また、制御部３０１は、受信信号処理部３０４における信号の受信処理、測定部３０５における信号の測定などを制御する。
【０２２７】
制御部３０１は、システム情報、下りデータ信号（例えば、ＰＤＳＣＨで送信される信号）、下り制御信号（例えば、ＰＤＣＣＨ及び／又はＥＰＤＣＣＨで送信される信号。送達確認情報など）のスケジューリング（例えば、リソース割り当て）を制御する。また、制御部３０１は、上りデータ信号に対する再送制御の要否を判定した結果などに基づいて、下り制御信号、下りデータ信号などの生成を制御する。
【０２２８】
制御部３０１は、同期信号（例えば、ＰＳＳ（Primary  Synchronization  Signal）／ＳＳＳ（Secondary  Synchronization  Signal））、下り参照信号（例えば、ＣＲＳ、ＣＳＩ−ＲＳ、ＤＭＲＳ）などのスケジューリングの制御を行う。
【０２２９】
制御部３０１は、上りデータ信号（例えば、ＰＵＳＣＨで送信される信号）、上り制御信号（例えば、ＰＵＣＣＨ及び／又はＰＵＳＣＨで送信される信号。送達確認情報など）、ランダムアクセスプリアンブル（例えば、ＰＲＡＣＨで送信される信号）、上り参照信号などのスケジューリングを制御する。
【０２３０】
制御部３０１は、ベースバンド信号処理部１０４におけるデジタルＢＦ（例えば、プリコーディング）及び／又は送受信部１０３におけるアナログＢＦ（例えば、位相回転）を用いて、送信ビーム及び／又は受信ビームを形成する制御を行ってもよい。制御部３０１は、下り伝搬路情報、上り伝搬路情報などに基づいて、ビームを形成する制御を行ってもよい。これらの伝搬路情報は、受信信号処理部３０４及び／又は測定部３０５から取得されてもよい。
【０２３１】
送信信号生成部３０２は、制御部３０１からの指示に基づいて、下り信号（下り制御信号、下りデータ信号、下り参照信号など）を生成して、マッピング部３０３に出力する。送信信号生成部３０２は、本開示に係る技術分野での共通認識に基づいて説明される信号生成器、信号生成回路又は信号生成装置から構成することができる。
【０２３２】
送信信号生成部３０２は、例えば、制御部３０１からの指示に基づいて、下りデータの割り当て情報を通知するＤＬアサインメント及び／又は上りデータの割り当て情報を通知するＵＬグラントを生成する。ＤＬアサインメント及びＵＬグラントは、いずれもＤＣＩであり、ＤＣＩフォーマットに従う。また、下りデータ信号には、各ユーザ端末２０からのチャネル状態情報（ＣＳＩ：Channel  State  Information）などに基づいて決定された符号化率、変調方式などに従って符号化処理、変調処理が行われる。
【０２３３】
マッピング部３０３は、制御部３０１からの指示に基づいて、送信信号生成部３０２で生成された下り信号を、所定の無線リソースにマッピングして、送受信部１０３に出力する。マッピング部３０３は、本開示に係る技術分野での共通認識に基づいて説明されるマッパー、マッピング回路又はマッピング装置から構成することができる。
【０２３４】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本開示に係る技術分野での共通認識に基づいて説明される信号処理器、信号処理回路又は信号処理装置から構成することができる。
【０２３５】
受信信号処理部３０４は、受信処理によって復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号及び／又は受信処理後の信号を、測定部３０５に出力する。
【０２３６】
測定部３０５は、受信した信号に関する測定を実施する。測定部３０５は、本開示に係る技術分野での共通認識に基づいて説明される測定器、測定回路又は測定装置から構成することができる。
【０２３７】
例えば、測定部３０５は、受信した信号に基づいて、ＲＲＭ（Radio  Resource  Management）測定、チャネル推定などを行ってもよい。測定部３０５は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ（Channel  State  Information））などについて測定してもよい。測定結果は、制御部３０１に出力されてもよい。
【０２３８】
送受信部１０３は、ＳＳＢ、ＣＳＩ−ＲＳ、ＲＬＭ−ＲＳ及びＬ１−ＲＳの少なくとも１つを送信する。送受信部１０３は、ＳＳＢ測定、ＣＳＩ−ＲＳ測定、ＲＬＭ−ＲＳ測定及びＬ１測定の少なくとも１つが設定されるセルにおいて、データを送信及び／又は受信してもよい。送受信部１０３は、同周波測定及び／又は異周波測定に関する情報などを、ユーザ端末２０に対して送信してもよい。
【０２３９】
（ユーザ端末）
図８は、一実施形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０２４０】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本開示に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０２４１】
ベースバンド信号処理部２０４は、入力されたベースバンド信号に対して、ＦＦＴ処理、誤り訂正復号、再送制御の受信処理などを行う。下りリンクのユーザデータは、アプリケーション部２０５に転送される。アプリケーション部２０５は、物理レイヤ及びＭＡＣレイヤより上位のレイヤに関する処理などを行う。また、下りリンクのデータのうち、ブロードキャスト情報もアプリケーション部２０５に転送されてもよい。
【０２４２】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）、チャネル符号化、プリコーディング、離散フーリエ変換（ＤＦＴ：Discrete  Fourier  Transform）処理、ＩＦＦＴ処理などが行われて送受信部２０３に転送される。
【０２４３】
送受信部２０３は、ベースバンド信号処理部２０４から出力されたベースバンド信号を無線周波数帯に変換して送信する。送受信部２０３で周波数変換された無線周波数信号は、アンプ部２０２によって増幅され、送受信アンテナ２０１から送信される。
【０２４４】
なお、送受信部２０３は、アナログビームフォーミングを実施するアナログビームフォーミング部をさらに有してもよい。アナログビームフォーミング部は、本発明に係る技術分野での共通認識に基づいて説明されるアナログビームフォーミング回路（例えば、位相シフタ、位相シフト回路）又はアナログビームフォーミング装置（例えば、位相シフト器）から構成してもよい。また、送受信アンテナ２０１は、例えばアレーアンテナによって構成してもよい。
【０２４５】
図９は、一実施形態に係るユーザ端末の機能構成の一例を示す図である。なお、本例においては、本実施形態における特徴部分の機能ブロックを主に示しており、ユーザ端末２０は、無線通信に必要な他の機能ブロックも有すると想定されてもよい。
【０２４６】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０２４７】
制御部４０１は、ユーザ端末２０全体の制御を実施する。制御部４０１は、本開示に係る技術分野での共通認識に基づいて説明されるコントローラ、制御回路又は制御装置から構成することができる。
【０２４８】
制御部４０１は、例えば、送信信号生成部４０２における信号の生成、マッピング部４０３における信号の割り当てなどを制御する。また、制御部４０１は、受信信号処理部４０４における信号の受信処理、測定部４０５における信号の測定などを制御する。
【０２４９】
制御部４０１は、無線基地局１０から送信された下り制御信号及び下りデータ信号を、受信信号処理部４０４から取得する。制御部４０１は、下り制御信号及び／又は下りデータ信号に対する再送制御の要否を判定した結果などに基づいて、上り制御信号及び／又は上りデータ信号の生成を制御する。
【０２５０】
制御部４０１は、ベースバンド信号処理部２０４におけるデジタルＢＦ（例えば、プリコーディング）及び／又は送受信部２０３におけるアナログＢＦ（例えば、位相回転）を用いて、送信ビーム及び／又は受信ビームを形成する制御を行ってもよい。制御部４０１は、下り伝搬路情報、上り伝搬路情報などに基づいて、ビームを形成する制御を行ってもよい。これらの伝搬路情報は、受信信号処理部４０４及び／又は測定部４０５から取得されてもよい。
【０２５１】
また、制御部４０１は、無線基地局１０から通知された各種情報を受信信号処理部４０４から取得した場合、当該情報に基づいて制御に用いるパラメータを更新してもよい。
【０２５２】
送信信号生成部４０２は、制御部４０１からの指示に基づいて、上り信号（上り制御信号、上りデータ信号、上り参照信号など）を生成して、マッピング部４０３に出力する。送信信号生成部４０２は、本開示に係る技術分野での共通認識に基づいて説明される信号生成器、信号生成回路又は信号生成装置から構成することができる。
【０２５３】
送信信号生成部４０２は、例えば、制御部４０１からの指示に基づいて、送達確認情報、チャネル状態情報（ＣＳＩ）などに関する上り制御信号を生成する。また、送信信号生成部４０２は、制御部４０１からの指示に基づいて上りデータ信号を生成する。例えば、送信信号生成部４０２は、無線基地局１０から通知される下り制御信号にＵＬグラントが含まれている場合に、制御部４０１から上りデータ信号の生成を指示される。
【０２５４】
マッピング部４０３は、制御部４０１からの指示に基づいて、送信信号生成部４０２で生成された上り信号を無線リソースにマッピングして、送受信部２０３へ出力する。マッピング部４０３は、本開示に係る技術分野での共通認識に基づいて説明されるマッパー、マッピング回路又はマッピング装置から構成することができる。
【０２５５】
受信信号処理部４０４は、送受信部２０３から入力された受信信号に対して、受信処理（例えば、デマッピング、復調、復号など）を行う。ここで、受信信号は、例えば、無線基地局１０から送信される下り信号（下り制御信号、下りデータ信号、下り参照信号など）である。受信信号処理部４０４は、本開示に係る技術分野での共通認識に基づいて説明される信号処理器、信号処理回路又は信号処理装置から構成することができる。また、受信信号処理部４０４は、本開示に係る受信部を構成することができる。
【０２５６】
受信信号処理部４０４は、受信処理によって復号された情報を制御部４０１に出力する。受信信号処理部４０４は、例えば、ブロードキャスト情報、システム情報、ＲＲＣシグナリング、ＤＣＩなどを、制御部４０１に出力する。また、受信信号処理部４０４は、受信信号及び／又は受信処理後の信号を、測定部４０５に出力する。
【０２５７】
測定部４０５は、受信した信号に関する測定を実施する。測定部４０５は、本開示に係る技術分野での共通認識に基づいて説明される測定器、測定回路又は測定装置から構成することができる。
【０２５８】
例えば、測定部４０５は、受信した信号に基づいて、ＲＲＭ測定、チャネル推定などを行ってもよい。測定部４０５は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部４０１に出力されてもよい。
【０２５９】
送受信部２０３は、ＳＳＢ、ＣＳＩ−ＲＳ、ＲＬＭ−ＲＳ及びＬ１−ＲＳの少なくとも１つを受信する。受信したＲＳは、測定部４０５において測定に用いられてもよい。送受信部２０３は、ＳＳＢ測定、ＣＳＩ−ＲＳ測定、ＲＬＭ−ＲＳ測定及びＬ１測定の少なくとも１つが設定されるセルにおいて、データを送信及び／又は受信してもよい。
【０２６０】
制御部４０１は、同期環境を想定できるか否かに基づいて、ＣＳＩ−ＲＳの測定タイミングにおけるデータ送受信の制御（例えば、可否）を判断してもよい。
【０２６１】
制御部４０１は、同期環境を想定できる場合、前記ＣＳＩ−ＲＳのシンボル及び当該シンボルの前後１シンボルにおいて、前記ＣＳＩ−ＲＳとサブキャリア間隔が異なるデータを送受信することを想定しなくてもよい。
【０２６２】
制御部４０１は、同期環境を想定できない場合、サービングセルにおけるデータと異なるサブキャリア間隔の前記ＣＳＩ−ＲＳをメジャメントギャップ内で測定し、当該メジャメントギャップ内において、当該サービングセルにおけるデータの送受信は想定しなくてもよい。
【０２６３】
制御部４０１は、同期環境を想定できない場合、設定された所定の期間内で前記ＣＳＩ−ＲＳを測定し、当該所定の期間内において、前記ＣＳＩ−ＲＳとサブキャリア間隔が異なるデータを送受信することを想定しなくてもよい。
【０２６４】
制御部４０１は、設定された全ての前記ＣＳＩ−ＲＳのうち、関連する同期信号ブロックが設定されないＣＳＩ−ＲＳがある場合、同期環境であると想定してもよい。
【０２６５】
測定部４０５は、特定の周波数帯域において、所定の参照信号を用いて無線リンクモニタリング（ＲＬＭ：Radio  Link  Monitoring）のための測定と、Ｌ１測定（L1  measurement）との少なくとも一方を行ってもよい。
【０２６６】
前記制御部４０１は、前記測定時における前記特定の周波数帯域上のデータ送受信を、前記所定の参照信号のサブキャリア間隔（ＳＣＳ：Sub-Carrier  Spacing）に基づいて制御してもよい。なお、「データ送受信の制御」とは、データを送受信するか否かの制御を含んでもよい。
【０２６７】
前記制御部４０１は、前記所定の参照信号のサブキャリア間隔と、データのサブキャリア間隔との関係に基づいて、前記データ送受信を制御してもよい。
【０２６８】
前記制御部４０１は、ＲＲＭ（Radio  Resource  Management）測定に関連したＵＥ能力を示す情報を用いて、前記データ送受信を制御してもよい。
【０２６９】
前記制御部４０１は、前記ＲＬＭのための測定とＬ１測定との少なくとも一方の測定時のデータの送受信可能な条件が、前記ＲＲＭ測定時のデータの送受信可能な条件よりも緩い（緩和されている）と想定してもよい。なお、「緩い」とは、第２の実施形態、第３の実施形態に記載された例で説明されている。
【０２７０】
（ハードウェア構成）
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。
【０２７１】
例えば、本開示の一実施形態における無線基地局、ユーザ端末などは、本開示の無線通信方法の処理を行うコンピュータとして機能してもよい。図１０は、一実施形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０２７２】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０２７３】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、２以上のプロセッサによって実行されてもよい。なお、プロセッサ１００１は、１以上のチップによって実装されてもよい。
【０２７４】
無線基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０２７５】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０２７６】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０２７７】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０２７８】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０２７９】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。
【０２８０】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０２８１】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０２８２】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０２８３】
（変形例）
なお、本開示において説明した用語及び本開示の理解に必要な用語については、同一の又は類似する意味を有する用語と置き換えてもよい。例えば、チャネル及びシンボルの少なくとも一方は信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０２８４】
無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０２８５】
ここで、ニューメロロジーとは、ある信号又はチャネルの送信及び受信の少なくとも一方に適用される通信パラメータであってもよい。例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０２８６】
スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。
【０２８７】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０２８８】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよいし、互いに読み替えられてもよい。
【０２８９】
例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０２９０】
ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０２９１】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０２９２】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０２９３】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０２９４】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０２９５】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。
【０２９６】
また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームは、それぞれ１つ又は複数のリソースブロックによって構成されてもよい。
【０２９７】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０２９８】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０２９９】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０３００】
また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０３０１】
本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０３０２】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０３０３】
また、情報、信号などは、上位レイヤから下位レイヤ及び下位レイヤから上位レイヤの少なくとも一方へ出力され得る。情報、信号などは、複数のネットワークノードを介して入出力されてもよい。
【０３０４】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０３０５】
情報の通知は、本開示において説明した態様／実施形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０３０６】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））を用いて通知されてもよい。
【０３０７】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０３０８】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０３０９】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０３１０】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０３１１】
本開示において使用する「システム」及び「ネットワーク」という用語は、互換的に使用され得る。
【０３１２】
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（transmission  point）」、「受信ポイント（reception  point）」、「送受信ポイント（transmission/reception  point）」、「セル」、「セクタ」、「セルグループ」、「キャリア」、「コンポーネントキャリア」、「帯域幅部分（ＢＷＰ：Bandwidth  Part）」などの用語は、互換的に使用され得る。基地局は、マクロセル、スモールセル、フェムトセル、ピコセルなどの用語で呼ばれる場合もある。
【０３１３】
基地局は、１つ又は複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０３１４】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０３１５】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０３１６】
基地局及び移動局の少なくとも一方は、送信装置、受信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。
【０３１７】
また、本開示における無線基地局は、ユーザ端末で読み替えてもよい。例えば、無線基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の無線基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０３１８】
同様に、本開示におけるユーザ端末は、無線基地局で読み替えてもよい。この場合、上述のユーザ端末２０が有する機能を無線基地局１０が有する構成としてもよい。
【０３１９】
本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０３２０】
本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０３２１】
本開示において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０３２２】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０３２３】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０３２４】
本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up）（例えば、テーブル、データベース又は別のデータ構造での探索）、確認（ascertaining）などを「判断（決定）」することであるとみなされてもよい。
【０３２５】
また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０３２６】
また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０３２７】
また、「判断（決定）」は、「想定する（assuming）」、「期待する（expecting）」、「みなす（considering）」などで読み替えられてもよい。
【０３２８】
本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０３２９】
本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０３３０】
本開示において、「ＡとＢが異なる」という用語は、「ＡとＢが互いに異なる」ことを意味してもよい。「離れる」、「結合される」などの用語も同様に解釈されてもよい。
【０３３１】
本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０３３２】
本開示において、例えば、英語でのa,  an及びtheのように、翻訳によって冠詞が追加された場合、本開示は、これらの冠詞の後に続く名詞が複数形であることを含んでもよい。
【０３３３】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【図１】
2019215899.tif 000003
【図２】
2019215899.tif 000004
【図３】
2019215899.tif 000005
【図４】
2019215899.tif 000006
【図５】
2019215899.tif 000007
【図６】
2019215899.tif 000008
【図７】
2019215899.tif 000009
【図８】
2019215899.tif 000010
【図９】
2019215899.tif 000011
【図１０】
2019215899.tif 000012
【国際調査報告】
2019215899.tif 000013
2019215899.tif 000014